(57)【要約】  １つの革新は、第１のデータパケットと第２のデータパケットとを記憶するように構成されたメモリユニットを含む、第１のワイヤレスチャネルと第２のワイヤレスチャネルとを介して通信システムとワイヤレス通信するための、装置を含み、第１のデータパケットおよび第２のデータパケットは、連続するシーケンス番号を有する。本装置は、メモリユニットから第１のデータパケットと第２のデータパケットとを取り出すように構成されたプロセッサと、第１のチャネルを介して通信システムに第１のデータパケットを送信するように、通信システムから第１の確認応答を受信するように、プロセッサが、第１の確認応答が第１の受信情報の肯定応答を備えることを検出した後、第２のチャネルを介して通信システムに第２のデータパケットを送信するように構成されたトランシーバとをさらに含む。
2016514423.tif 000002
【特許請求の範囲】
【請求項１】
通信システムとワイヤレス通信するための装置であって、前記装置は、
第１のデータパケットと第２のデータパケットとを記憶するように構成されたメモリユニットと、前記第１のデータパケットおよび前記第２のデータパケットは、連続するシーケンス番号を有する、
前記メモリユニットに動作可能に結合され、前記メモリユニットから前記第１のデータパケットと前記第２のデータパケットとを取り出すように構成されたプロセッサと、
前記プロセッサに動作可能に結合されたトランシーバと、前記トランシーバは、データを通信するためのワイヤレスの第１のチャネルとワイヤレスの第２のチャネルとを含み、前記装置は、前記第１のチャネルを介して前記通信システムに前記第１のデータパケットを送信するように、前記第１のデータパケットに関連付けられた受信情報を備える前記通信システムから第１の確認応答を前記第１のチャネルを介して受信するように、および前記第１の確認応答が、前記第１のデータパケットの成功した受信を示す受信情報を含むことを前記装置が決定した後、前記第２のチャネルを介して前記通信システムに前記第２のデータパケットを送信することとを行うように、構成される、
を備える、装置。
【請求項２】
前記第１のチャネルが、第１の周波数においてデータを通信するように構成され、前記第２のチャネルが、第２の周波数においてデータを通信するように構成され、前記第２の周波数が前記第１の周波数とは異なる、請求項１に記載の装置。
【請求項３】
前記通信システムが、前記第１のチャネルと前記第２のチャネルの両方を同時に監視する、請求項１に記載の装置。
【請求項４】
前記装置が、前記第１の確認応答が前記第１のデータパケットが受信されなかったことを示すことを受信したとき、前記装置は、
前記第１のチャネルまたは前記第２のチャネルのうちの少なくとも１つを介して前記通信システムに前記第１のデータパケットを再送信するように、
前記第１のデータパケットを再送信するために使用された前記第１または第２のチャネルを介して第２の確認応答を受信するように、前記第２の確認応答は、前記通信システムによる前記再送信された第１のデータパケットの受信ステータスを示す受信情報を含む、
を行うためにさらに構成された、請求項１に記載の装置。
【請求項５】
前記装置が、ある時間の長さの間に前記第１の確認応答を受信することに失敗したとき、前記装置は、
前記第１のチャネルまたは前記第２のチャネルのうちの少なくとも１つを介して前記通信システムに前記第１のデータパケットを再送信するように、および、  前記第１のデータパケットを再送信するために使用された前記第１または第２のチャネルを介して第２の確認応答を受信するように、前記第２の確認応答は、前記通信システムによる前記再送信された第１のデータパケットの受信ステータスを示す受信情報を含むように、
さらに構成された、請求項１に記載の装置。
【請求項６】
前記メモリユニットは、第３のデータパケットを記憶するようにさらに構成され、ここにおいて、前記プロセッサは、前記第３のパケットを取り出すようにさらに構成され、および、ここにおいて、前記装置は、
前記第１のチャネルを介して前記通信システムに前記第１のパケットと前記第３のパケットおよびとを送信するように、
前記第１のチャネルを介して前記通信システムから前記第１のデータパケットと前記第３のデータパケットとに関連付けられた受信情報を備える第２の確認応答を受信するように、
さらに構成された、請求項１に記載の装置。
【請求項７】
前記装置は、前記第２の確認応答が、前記第１のデータパケットが受信されなかったことを示すことを受信したとき、前記装置は、
前記第１のチャネルまたは前記第２のチャネルのうちの少なくとも１つを介して前記通信システムに前記第１のデータパケットを再送信するように、および
前記第１のデータパケットを再送信するために使用された前記第１または第２のチャネルを介して第３の確認応答を受信するように構成され、前記第３の確認応答は、前記通信システムにより前記再送信された第１のデータパケットの受信ステータスを示す受信情報を含む、さらにように構成される、
請求項６に記載の装置。
【請求項８】
前記装置が、ある時間の長さの間に前記第２の確認応答を受信することに失敗したとき、前記装置は、
前記第１のチャネルまたは前記第２のチャネルのうちの少なくとも１つを介して前記通信システムに、前記第１のパケットと前記第３のパケットとを再送信するように、および
前記第１のデータパケットを再送信するために使用された前記第１または第２のチャネルを介して第３の確認応答を受信するように、前記第３の確認応答は、前記通信システムにより前記再送信された第１のデータパケットの受信ステータスを示す受信情報を含む、
さらに構成された、請求項６に記載の装置。
【請求項９】
前記装置は、前記装置が、前記第１の確認応答が前記第１のデータパケットの成功した受信を示すことを受信したとき、別の通信システムに前記第２のデータパケットを送信するようにさらに構成される、請求項１に記載の装置。
【請求項１０】
前記装置は、前記別の通信システムと少なくとも前記トランシーバを共有する、請求項９に記載の装置。
【請求項１１】
通信システムとワイヤレス通信するための装置であって、前記装置は、
第１のチャネルと第２のチャネルとに関連付けられた情報を記憶するように構成されたメモリユニットと、
前記メモリユニットに動作可能に結合されたプロセッサと、前記プロセッサは前記メモリユニットから前記情報を取り出すように構成される、
前記プロセッサに動作可能に結合されたトランシーバと、
前記トランシーバは、データを通信するためのワイヤレスの第１のチャネルとワイヤレスの第２のチャネルとを含み、
前記装置は、
前記第１のチャネルを介して前記通信システムから第１のデータパケットを受信するように、
前記第１のデータパケットに関連付けられた受信情報を備える第１の確認応答を前記第１のチャネルを介して送信するように、および、
前記第２のチャネルを介して前記通信システムから第２のパケットを受信するように、構成される、前記第１のパケットおよび前記第２のパケットは、連続するシーケンス番号を有する、を備える、装置。
【請求項１２】
前記装置は、
前記第１のチャネルを介して前記通信システムから前記第１のデータパケットを受信することと、前記第１のチャネルは第１の周波数において動作し、
前記第１のチャネルを介して前記通信システムに前記第１の確認応答を送信することと、
前記第２のチャネルを介して前記第２のパケットを受信することと、前記第２のチャネルは第２の周波数において動作し、
を行うようにさらに構成された、請求項１１に記載の装置。
【請求項１３】
前記装置が、前記第１のチャネルと前記第２のチャネルとを同時に監視する、請求項１１に記載の装置。
【請求項１４】
前記装置は、前記装置が前記第１のデータパケットを受信することに失敗したとき、前記第１のパケットの失敗された受信を示すために前記第１の確認応答を生成するようにさらに構成され、および前記装置が、前記第１のチャネルを介して前記通信システムから前記第１のパケットを受信するようにさらに構成される、請求項１１に記載の装置。
【請求項１５】
前記装置は、前記装置が前記第１のパケットを成功して受信したとき、前記第１のパケットの成功した受信を示すために前記第１の確認応答を生成するように構成される、請求項１１に記載の装置。
【請求項１６】
前記装置は、
前記第１のチャネルを介して前記通信システムから前記１つの第１のパケットと１つの第３のパケットとを受信するように、
前記第１のチャネルを介して前記通信システムに第２の確認応答を送信するように、前記第２の確認応答は、前記第１のパケットまたは前記第３のパケットのうちの少なくとも１つの受信ステータスを示す受信情報を含む、
さらに構成された、請求項１１に記載の装置。
【請求項１７】
前記装置は、
前記装置が前記第１のパケットを受信することに失敗したとき、前記第１のパケットの失敗した受信に関連付けられた情報を示すために前記第２の確認応答を生成するように構成され、ここにおいて、前記装置は、前記第１のチャネルを介して前記通信システムから前記第１のパケットを受信するようにさらに構成される、
請求項１６に記載の装置。
【請求項１８】
前記装置が、前記第１のパケットと前記第３のパケットとを成功して受信したとき、前記第２の確認応答は、前記第１のパケットの成功した受信と前記第３のパケットの成功した受信とに関連付けられた情報を備える、請求項１６に記載の装置。
【請求項１９】
第１のワイヤレスチャネルと第２のワイヤレスチャネルとを介して通信システムとワイヤレス通信する方法であって、
前記方法は、
前記第１のチャネルを介して前記通信システムに第１のデータパケットを送信することと、
前記第１のチャネルを介して前記通信システムから第１の確認応答を受信することと、前記第１の確認応答は、前記第１のデータパケットの成功した受信が行われたかどうかを示す受信情報を含む、
前記第１の確認応答が前記第１のデータパケットの成功した受信を示すとき、前記第２のチャネルを介して前記通信システムに前記第２のデータパケットを送信することと、を備える、
前記方法。
【請求項２０】
前記第１のデータパケットを送信することは、第１の周波数において前記第１のチャネルを介して前記通信システムに前記第１のデータパケットを送信することを備え、
ここにおいて、前記第１の確認応答を受信することは、前記第１のチャネルを介して前記通信システムから前記第１の確認応答を受信することを備え、
および、ここにおいて、前記第２のデータパケットを送信することは、第２の周波数において前記第２のチャネルを介して前記第２のデータパケットを送信することを備える、
請求項１９に記載の方法。
【請求項２１】
前記通信システムは、前記第１のワイヤレスチャネルと前記第２のワイヤレスチャネルとを同時に監視する、請求項１９に記載の方法。
【請求項２２】
前記方法は、
前記第１の確認応答が、前記第１のデータパケットが受信されなかったことを示すとき、前記第１のチャネルを介して前記通信システムに前記第１のデータパケットを再送信することと、
前記第１のチャネルを介して前記通信システムから第２の確認応答を受信することと、前記第２の確認応答は、前記再送信された第１のデータパケットに関連付けられた受信情報を含む、
をさらに備える、請求項１９に記載の方法。
【請求項２３】
前記方法は、
前記第１の確認応答が、ある時間の長さの間に受信されなかったとき、前記第１のチャネルを介して前記通信システムに前記第１のデータパケットを再送信することと、
前記第１のチャネルを介して前記通信システムから第２の確認応答を受信することと、前記第２の確認応答は、前記再送信された第１のデータパケットに関連付けられた受信情報を備える、
をさらに備える、請求項１９に記載の方法。
【請求項２４】
前記方法は、
前記第１のチャネルを介して前記通信システムに、前記第１のパケットと前記第３のパケットおよびとを送信することと、
前記第１のチャネルを介して前記通信システムから第２の確認応答を受信することと、前記第２の確認応答は、前記第１のデータパケットまたは前記第３のデータパケットのうちの少なくとも１つに関連付けられた受信情報を含む、
をさらに備える、請求項１９に記載の方法。
【請求項２５】
前記方法は、
前記第２の確認応答が、前記第１のデータパケットが成功して受信されなかったことを示すとき、前記第１のチャネルを介して前記通信システムに前記第１のデータパケットを再送信することと、および
前記第１のチャネルを介して前記通信システムから第３の確認応答を受信することと、前記第３の確認応答は、前記再送信された第１のデータパケットに関連付けられた受信情報を含む、
をさらに備える、請求項２４に記載の方法。
【請求項２６】
前記方法は、
前記第２の確認応答が、ある時間の長さの間に成功して受信されなかったとき、前記第１のチャネルを介して前記通信システムに前記第１のパケットと前記第３のパケットを再送信することと、
前記第１のチャネルを介して前記通信システムから第３の確認応答を受信することと、前記第３の確認応答は、前記第１のデータパケットまたは前記第３のデータパケットのうちの前記少なくとも１つに関連付けられた第３の受信情報を含む、
をさらに備える、請求項２４に記載の方法。
【請求項２７】
前記方法は、前記第１の確認応答が、前記第１のデータパケットが受信されたことを示すとき、別の通信システムに前記第２のデータパケットを送信することをさらに備える、請求項１９に記載の方法。
【請求項２８】
ワイヤレスの第１のチャネルとワイヤレスの第２のチャネルとを介して通信システムとワイヤレス通信する方法であって、前記方法は、
前記第１のチャネルを介して前記通信システムから第１のデータパケットを受信することと、
前記第１のチャネルを介して前記通信システムに第１の確認応答を送信することと、前記第１の確認応答は、前記受信された第１のデータパケットに関連付けられた第１の受信情報を含み、
前記第２のチャネルを介して前記通信システムから第２のパケットを受信することと、前記第１のパケットおよび前記第２のパケットは、連続するシーケンス番号を有する、
を備える、方法。
【請求項２９】
前記第１のデータパケットを受信することは、第１の周波数において前記第１のチャネルを介して前記通信システムから前記第１のデータパケットを受信することを備え、ここにおいて、前記第１の確認応答を送信することは、前記第１のチャネルを介して前記通信システムに前記第１の確認応答を送信することを備え、および、ここにおいて、前記第２のデータパケットを受信することは、第２の周波数において前記第２のチャネルを介して前記第２のデータパケットを受信することを備える、請求項２８に記載の方法。
【請求項３０】
前記方法は、前記ワイヤレスの第１のチャネルと前記ワイヤレスの第２のチャネルとを監視することをさらに備える、請求項２８に記載の方法。
【請求項３１】
前記方法は、
前記第１のデータパケットが受信されなかったことを示すために、前記第１の確認応答を設定することと、
前記第１のデータパケットが受信されなかったとき、前記第１のチャネルまたは前記第２のチャネルのうちの少なくとも１つを介して前記通信システムから前記第１のパケットの再送信を受信することと
をさらに備える、請求項２８に記載の方法。
【請求項３２】
前記方法は、前記第１のパケットが成功して受信されたことを示すために前記第１の確認応答を設定することをさらに備える、請求項２８に記載の方法。
【請求項３３】
前記方法は、
前記第１のチャネルを介して前記通信システムから前記１つの第１のパケットと第３のパケットとを受信することと、
前記第１のチャネルを介して前記通信システムに第２の確認応答を送信することと、前記第２の確認応答は、前記第１のパケットまたは前記第３のパケットのうちの少なくとも１つに関連付けられた受信情報を含む、
をさらに備える、請求項２８に記載の方法。
【請求項３４】
前記方法は、
前記第１のパケットが受信されなかったことを示すために前記第２の確認応答を設定することと、
前記第１のパケットが前記第１のチャネルを介して受信されなかったとき、前記第１のチャネルを介して前記通信システムから前記第１のパケットを受信することと
を備える、請求項３３に記載の方法。
【請求項３５】
前記方法は、前記第１のパケットおよび前記第３のパケットが成功して受信されたとき、前記第１のパケットの成功した受信と前記第３のパケットの成功した受信とを示すために、前記第２の確認応答を設定することを備える、請求項３３に記載の方法。
【請求項３６】
ワイヤレスの第１のチャネルとワイヤレスの第２のチャネルとを介して通信システムとワイヤレス通信するための装置であって、前記装置は、
第１のデータパケットと第２のデータパケットとを記憶するための手段と、前記第１のデータパケットおよび前記第２のデータパケットは、連続するシーケンス番号を有し、
前記記憶手段に動作可能に結合され、前記記憶手段から前記第１のデータパケットと前記第２のデータパケットとを取り出すように構成された処理するための手段と、
前記第１のチャネルを介して前記通信システムに第１のデータパケットを送信するための手段と、
前記第１のチャネルを介して前記通信システムから第１の確認応答を受信するための手段と、前記第１の確認応答は、前記第１のデータパケットに関連付けられた受信情報を含み、
前記装置が、前記第１の確認応答が、前記第１のデータパケットの受信の肯定応答を含むことを受信した後、前記第２のチャネルを介して前記通信システムに前記第２のデータパケットを送信するための手段と
を備える、装置。
【請求項３７】
記憶するための前記手段はメモリユニットを備え、ここにおいて、処理するための前記手段がプロセッサを備え、ここにおいて、前記第１のデータパケットを送信するための前記手段が送信機を備え、ここにおいて、前記第１の確認応答を受信するための前記手段が受信機を備え、および前記第２のデータパケットを送信するための前記手段が前記送信機を備える、請求項３６に記載の装置。
【請求項３８】
ワイヤレスの第１のチャネルとワイヤレスの第２のチャネルとを介して通信システムとワイヤレス通信するための装置であって、前記装置は、
前記第１のチャネルを介して前記通信システムから第１のデータパケットを受信するための手段と、
前記第１のチャネルを介して前記通信システムに第１の確認応答を送信するための手段と、前記第１の確認応答は、前記第１のデータに関連付けられた第１の受信情報を備え、
前記第２のチャネルを介して前記通信システムから第２のパケットを受信するための手段と、前記第１のパケットおよび前記第２のパケットは、連続するシーケンス番号を有する、
を備える、装置。
【請求項３９】
前記第１のデータパケットを受信するための前記手段は受信機を備え、ここにおいて、前記第１の確認応答を送信するための前記手段が送信機を備え、前記第２のパケットを受信するための前記手段が前記受信機を備える、請求項３８に記載の装置。
【請求項４０】
実行されたとき、装置に、
第１のチャネルを介して通信システムに第１のデータパケットを送信することと、
前記第１のチャネルを介して前記通信システムから第１の確認応答を受信することと、前記第１の確認応答は、前記第１のデータパケットに関連付けられた受信情報を備え、
前記第１の確認応答が前記第１のデータパケットの成功した送信を示すかどうかを決定することと、
前記第１のデータパケットの前記送信が正常だったことが決定される場合、前記第２のチャネルを介して前記通信システムに前記第２のデータパケットを送信することと、
を行わせる、コードを備える非一時的コンピュータ可読媒体。
【請求項４１】
実行されたとき、装置に、
第１のチャネルを介して通信システムから第１のデータパケットを受信することと、
前記第１のチャネルを介して前記通信システムに第１の確認応答を送信することと、前記第１の確認応答は、前記第１のデータパケットに関連付けられた受信情報を備え、
前記第２のチャネルを介して前記通信システムから第２のパケットを受信することと、前記第１のパケットおよび前記第２のパケットが、連続するシーケンス番号を有する、
を行わせる、コードを備える非一時的コンピュータ可読媒体。
【請求項４２】
ワイヤレスの第１のチャネルと第２のチャネルとを介して通信システムとワイヤレス通信するための装置であって、
前記第１のチャネルからのデータパケットを記憶するように構成された第１のバッファと、
前記第２のチャネルからのデータパケットを記憶するように構成された第２のバッファと、
前記第１のバッファの第１の開始シーケンス番号、
前記第１のバッファの第１のウィンドウサイズ、
前記第２のバッファの第２の開始シーケンス番号、および
前記第２のバッファの第２のウィンドウサイズ
を備える情報を記憶するように構成されたメモリユニットと、
前記第１のバッファと、前記第２のバッファと、および前記メモリユニットとに動作可能に結合されたプロセッサと、前記プロセッサは、前記第２の開始シーケンス番号に前記第１の開始シーケンス番号をコピーするように、前記第２のウィンドウサイズに前記第１のウィンドウサイズをコピーするように構成される、
を備える、装置。
【請求項４３】
前記第１のチャネルおよび前記第２のチャネルがワイヤレスチャネルである、請求項４２に記載の装置。
【請求項４４】
前記第１のチャネルが、前記通信システムに接続された論理チャネルであり、ここにおいて、前記第２のチャネルが、別の通信システムに接続された別の論理チャネルである、請求項４２に記載の装置。
【請求項４５】
前記メモリユニットが、次の予想されるシーケンス番号に関係する情報を記憶するようにさらに構成される、請求項４２に記載の装置。
【請求項４６】
前記プロセッサは、
前記次に予想されるシーケンス番号を取り出すことと、
前記第１のチャネルから第１のデータパケットを受信することと、前記第１のデータパケットは第１のシーケンス番号を含み、
前記第１のシーケンス番号が前記次に予想されるシーケンス番号よりも小さいとき、前記第１のバッファ中に前記第１のデータパケットを挿入することと、
前記第１のチャネルからブロック確認応答要求フレームを受信することと、前記ブロック確認応答要求フレームは第３の開始シーケンス番号を備え、
前記第３の開始シーケンス番号であるために前記次に予想されるシーケンス番号を設定することと、
を行うようにさらに構成された、請求項４２に記載の装置。
【請求項４７】
前記プロセッサは、
前記第２のチャネルから第２のデータパケットを受信することと、前記第２のデータパケットは第２のシーケンス番号を備え、
前記第２のシーケンス番号が前記次に予想されるシーケンス番号よりも小さいとき、前記第２のバッファ中に前記第２のデータパケットを挿入することと、
を行うようにさらに構成された、請求項４６に記載の装置。
【請求項４８】
第１のチャネルと第２のチャネルとを介して通信システムとワイヤレス通信する方法であって、前記方法は、
第２のバッファの第２の開始シーケンス番号に第１のバッファの第１の開始シーケンス番号をコピーすることと、
前記第２のバッファの第２のウィンドウサイズに前記第１のバッファの第１のウィンドウサイズをコピーすることと、前記第１のバッファは、前記第１のチャネルからのデータパケットを記憶するように構成され、前記第２のバッファは、前記第２のチャネルからのデータパケットを記憶するように構成される、
を備える、方法。
【請求項４９】
前記第１のチャネルおよび前記第２のチャネルは、２つのワイヤレスチャネルである、請求項４８に記載の方法。
【請求項５０】
前記第１のチャネルは、前記通信システムに接続された論理チャネルであり、ここにおいて、前記第２のチャネルは、別の通信システムに接続された別の論理チャネルである、請求項４８に記載の方法。
【請求項５１】
前記方法は、
次に予想されるシーケンス番号を取り出すことと、
前記第１のチャネルから第１のデータパケットを受信することと、前記第１のデータパケットは第１のシーケンス番号を備え、
前記第１のシーケンス番号が前記次の予想されるシーケンス番号よりも小さいとき、前記第１のバッファ中に前記第１のデータパケットを挿入することと、
前記第１のチャネルからブロック確認応答要求フレームを受信することと、前記ブロック確認応答要求フレームは第３の開始シーケンス番号を備え、
前記第３の開始シーケンス番号であるべき前記次に予想されるシーケンス番号を設定することと、
をさらに備える、請求項４８に記載の方法。
【請求項５２】
前記方法は、
前記第２のチャネルから第２のデータパケットを受信することと、前記第２のデータパケットは第２のシーケンス番号を備え、
前記第２のシーケンス番号は前記次に予想されるシーケンス番号よりも小さいとき、前記第２のバッファ中に前記第２のデータパケットを挿入すること、
をさらに備える、請求項４８に記載の方法。
【請求項５３】
第１のチャネルと第２のチャネルとを介して通信システムとワイヤレス通信するための装置であって、前記装置は、
第２のバッファの第２の開始シーケンス番号に第１のバッファの第１の開始シーケンス番号をコピーするための手段と、
前記第２のバッファの第２のウィンドウサイズに前記第１のバッファの第１のウィンドウサイズをコピーするための手段と、前記第１のバッファは、前記第１のチャネルからのデータパケットを記憶するように構成され、前記第２のバッファは、前記第２のチャネルからのデータパケットを記憶するように構成される、
を備える、装置。
【請求項５４】
前記第１のバッファの前記第１の開始シーケンス番号をコピーするための前記手段はプロセッサとメモリユニットとを備え、及びここにおいて、前記第１のバッファの前記第１のウィンドウサイズをコピーするための前記手段は少なくともプロセッサとメモリユニットとを備える、請求項５３に記載の装置。
【請求項５５】
実行されたとき、装置に、
第２のバッファの第２の開始シーケンス番号に第１のバッファの第１の開始シーケンス番号をコピーすることと、および
前記第２のバッファの第２のウィンドウサイズに前記第１のバッファの第１のウィンドウサイズをコピーすることと、前記第１のバッファは、前記第１のチャネルからのデータパケットを記憶するように構成され、前記第２のバッファは、前記第２のチャネルからのデータパケットを記憶するように構成される、
を行わせるコードを備える非一時的コンピュータ可読媒体。
【発明の詳細な説明】
【技術分野】
【０００１】
関連出願の相互参照
[0001]本出願は、その全体が参照により本明細書に明確に組み込まれる、２０１３年３月８日に出願された「SYSTEMS AND METHODS FOR SEAMLESS DATA STREAM TRANSFER DURING BAND SWITCH BETWEEN WIRELESS STATIONS」と題する米国非仮出願第１３／７９１，７８６号の優先権を主張する。
【０００２】
[0002]本出願は、一般にワイヤレス通信に関し、より詳細には、帯域および／またはチャネル切替えとバッファ管理とによってより高い全体的スループットを達成し、通信効率を改善する動作を含む、ワイヤレス  デュアルコンカレント帯域（ＤＣＢ：dual concurrent band）または複数コンカレント帯域（ＭＣＢ：multiple concurrent band）を有するシステム、方法、およびデバイスに関する。
【背景技術】
【０００３】
[0003]多くの電気通信システムでは、通信ネットワークは、いくつかの対話している空間的に分離されたデバイスの間でメッセージを交換するために使用される。ネットワークは、たとえば、メトロポリタンエリア、ローカルエリア、またはパーソナルエリアであり得る、地理的範囲に従って分類され得る。そのようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）に指定され得る。ネットワークはまた、様々なネットワークノードとデバイスとを相互接続するために使用される交換／ルーティング技法（たとえば、回線交換対パケット交換）、送信のために採用される物理媒体のタイプ（たとえば、ワイヤード対ワイヤレス）、および使用される通信プロトコルのセット、たとえば、インターネットプロトコルスイート、同期光ネットワーキング（ＳＯＮＥＴ：Synchronous Optical Networking）、イーサネット（登録商標）などによって異なる。
【０００４】
[0004]ワイヤレスネットワークは、しばしば、ネットワーク要素がモバイルであり、したがって動的接続性の必要を有するときに、またはネットワークアーキテクチャが、固定ではなくアドホックなトポロジーで形成される場合に好適である。ワイヤレスネットワークは、無線、マイクロ波、赤外線、光などの周波数帯域中の電磁波を使用して、非誘導伝搬モードで無形物理媒体を採用し得る。ワイヤレスネットワークは、固定ワイヤードネットワークと比較して、ユーザモビリティと迅速なフィールド展開とを有利な形で可能にする。
【０００５】
[0005]ワイヤレスネットワーク中のデバイスは、互いの間で情報を送信／受信し得る。その情報は、いくつかの態様ではデータユニットと呼ばれることがあるパケットを含み得る。パケットは、ネットワークを介してパケットをルーティングすること、パケット中のデータを識別すること、パケットを処理することなどを行うのに役立つオーバーヘッド情報（たとえば、ヘッダ情報、パケットプロパティなど）、ならびに、パケットのペイロード中で搬送され得るようなデータ、たとえばユーザデータ、マルチメディアコンテンツなどを含み得る。
【０００６】
[0006]ＩＥＥＥ８０２．１１規格の最近の発展はＷｉ−Ｆｉ（登録商標）を複数の周波数帯域上に拡張する。これらの帯域は、ＩＥＥＥ８０２．１１ｂ／ｇ／ｎのための２ＧＨｚ周波数帯域、ＩＥＥＥ８０２．１１ａ／ｎ／ａｃのための５ＧＨｚ周波数帯域、ＩＥＥＥ８０２．１１ａｄのための６０ＧＨｚ周波数帯域、ＩＥＥＥ８０２．１１ａｈのための９００ＭＨｚ周波数帯域、およびＩＥＥＥ８０２．１１ａｆのためのＴＶＷＳ帯域を含む。最近の技術は、ワイヤレスデバイスが複数の帯域上でコンカレントに動作することを可能にする。ＭＣＢ局（ＳＴＡ）およびＭＣＢアクセスポイント（ＡＰ）では、複数のリンクがＳＴＡとＡＰとの間に確立され得る。多くのＷｉ−Ｆｉ製品は、２ＧＨｚ周波数帯域と５ＧＨｚ周波数帯域とを通常含む、ＤＣＢをサポートする。ＤＣＢ  ＳＴＡおよびＤＣＢ  ＡＰは、両方の周波数帯域上でコンカレントに動作し、より高い全体的スループットを達成し得る。しかしながら、そのようなＤＣＢ動作モードは、より高い電力消費を引き起こし得、したがって有益でないことがある。したがって、ＤＣＢ  ＳＴＡまたはＭＣＢ  ＳＴＡが、関連付けられたＡＰとともに動作周波数帯域を動的に切り替えることができれば望ましいであろう。
【発明の概要】
【０００７】
[0007]本発明のシステム、方法、およびデバイスは、それぞれいくつかの態様を有し、それらのうちの単一の態様が単独でそれの望ましい属性を担当しない。次に、以下の特許請求の範囲によって表される本発明の範囲を限定することなしに、いくつかの特徴が手短に説明される。この説明を考察すれば、特に「発明を実施するための形態」と題するセクションを読めば、本発明の特徴が、低電力および長距離ワイヤレス通信のためのサブギガヘルツ帯域中でのワイヤレス通信を提供することを含む利点をどのように提供するかが理解されよう。
【０００８】
[0008]本開示の一態様は、第１のワイヤレスチャネルと第２のワイヤレスチャネルとを介して通信システムとワイヤレス通信するための装置を提供する。本装置は、第１のデータパケットと第２のデータパケットとを記憶するように構成されたメモリユニットを含む。第１のデータパケットおよび第２のデータパケットは、連続するシーケンス番号を有する。本装置は、メモリユニットに動作可能に結合され、メモリユニットから第１のデータパケットと第２のデータパケットとを取り出すように構成されたプロセッサをさらに含む。本装置は、プロセッサに動作可能に結合され、第１のチャネルまたは第２のチャネルのうちの少なくとも第１の１つを介して通信システムに第１のデータパケットを送信するように構成構成されたトランシーバをさらに含む。本装置は、第１のチャネルを介して通信システムに第１のデータパケットを送信することと、第１のチャネルを介して通信システムから第１のデータパケットに関連付けられた受信情報を含む第１の確認応答を受信することと、本装置が、第１の確認応答が、第１のデータパケットの成功した受信を示す受信情報を含むことを決定した後、第２のチャネルを介して通信システムに第２のデータパケットを送信することとを行うために構成される。
【０００９】
[0009]本開示の別の態様は、第１のワイヤレスチャネルと第２のワイヤレスチャネルとを介して通信システムとワイヤレス通信する方法を提供する。本方法は、第１のチャネルを介して通信システムに第１のデータパケットを送信することを含む。本方法は、第１のチャネルを介して通信システムから第１の確認応答を受信することをさらに含む。第１の確認応答は、第１のデータパケットの成功した受信を示す第１の受信情報を備える。本方法は、第１の確認応答が第１の受信情報の成功した確認応答を含むとき、第２のチャネルを介して通信システムに第２のデータパケットを送信することをさらに含む。
【００１０】
[0010]本開示のまた別の態様は、第１のワイヤレスチャネルと第２のワイヤレスチャネルとを介して通信システムとワイヤレス通信するための装置を提供する。本装置は、第１のチャネルを介して通信システムに第１のデータパケットを送信するための手段を含む。本装置は、第１のチャネルを介して通信システムから第１の確認応答を受信するための手段をさらに含む。第１の確認応答は、第１のデータパケットの成功した受信を示す受信情報を備える。本装置は、第１の確認応答が第１の受信情報の成功した確認応答を含むとき、第２のチャネルを介して通信システムに第２のデータパケットを送信するための手段をさらに含む。
【００１１】
[0011]本開示の一態様は、第１のワイヤレスチャネルと第２のワイヤレスチャネルとを介して通信システムとワイヤレス通信するための装置を提供する。本装置は、第１のチャネルを介して通信システムから第１のデータパケットを受信することと、第１のチャネルを介して通信システムから第１のデータパケットに関連付けられた受信情報を含む第１の確認応答を送信することと、第２のチャネルを介して通信システムから第２のパケットを受信することとを行うために構成される。第１のパケットおよび第２のパケットは、連続するシーケンス番号を有する。
【００１２】
[0012]本開示の別の態様は、第１のワイヤレスチャネルと第２のワイヤレスチャネルとを介して通信システムとワイヤレス通信する方法を提供する。本方法は、第１のチャネルを介して通信システムから第１のデータパケットを受信することを含む。本方法は、第１のチャネルを介して通信システムに第１の確認応答を送信することをさらに含む。第１の確認応答は、第１のデータパケットに関連付けられた第１の受信情報を備える。本方法は、第２のチャネルを介して通信システムから第２のパケットを受信することをさらに含む。第１のパケットおよび第２のパケットは、連続するシーケンス番号を有する。
【００１３】
[0013]本開示のまた別の態様は、第１のワイヤレスチャネルと第２のワイヤレスチャネルとを介して通信システムとワイヤレス通信するための装置を提供する。本装置は、第１のチャネルを介して通信システムから第１のデータパケットを受信するための手段ための手段を含む。本装置は、第１のチャネルを介して通信システムに第１の確認応答を送信するための手段をさらに含む。第１の確認応答は、第１のデータパケットに関連付けられた第１の受信情報を備える。本装置は、第２のチャネルを介して通信システムから第２のパケットを受信するための手段をさらに含む。第１のパケットおよび第２のパケットは、連続するシーケンス番号を有する。
【００１４】
[0014]本開示の一態様は、第１のチャネルと第２のチャネルとを介して通信システムとワイヤレス通信するための装置を提供する。本装置は、第１のチャネルからのデータパケットを記憶するように構成された第１のバッファと、第２のチャネルからのデータパケットを記憶するように構成された第２のバッファとを含む。本装置は、第１のバッファの第１の開始シーケンス番号、第１のバッファの第１のウィンドウサイズ、第２のバッファの第２の開始シーケンス番号、および第２のバッファの第２のウィンドウサイズを備える情報を記憶するように構成されたメモリユニットをさらに含む。本装置は、第１のバッファと、第２のバッファと、メモリユニットとに動作可能に結合されたプロセッサをさらに含み、プロセッサは、第２の開始シーケンス番号に第１の開始シーケンス番号をコピーすることと、第２のウィンドウサイズに第１のウィンドウサイズをコピーすることとを行うために構成される。
【００１５】
[0015]本開示の別の態様は、第１のチャネルと第２のチャネルとを介して通信システムとワイヤレス通信する方法を提供する。本方法は、第２のバッファの第２の開始シーケンス番号に第１のバッファの第１の開始シーケンス番号をコピーすることを含む。本方法は、第２のバッファの第２のウィンドウサイズに第１のバッファの第１のウィンドウサイズをコピーすることをさらに含む。第１のバッファは、第１のチャネルからのデータパケットを記憶するように構成される。第２のバッファは、第２のチャネルからのデータパケットを記憶するように構成される。
【００１６】
[0016]本開示のまた別の態様は、第１のチャネルと第２のチャネルとを介して通信システムとワイヤレス通信するための装置を提供する。本装置は、第２のバッファの第２の開始シーケンス番号に第１のバッファの第１の開始シーケンス番号をコピーするための手段を含む。本装置は、第２のバッファの第２のウィンドウサイズに第１のバッファの第１のウィンドウサイズをコピーするための手段をさらに含む。第１のバッファは、第１のチャネルからのデータパケットを記憶するように構成される。第２のバッファは、第２のチャネルからのデータパケットを記憶するように構成される。
【図面の簡単な説明】
【００１７】
【図１】[0017]少なくとも１つの例示的な実装形態による、本開示の態様が採用され得る例示的なワイヤレス通信システムを示す図。
【図２】[0018]少なくとも１つの例示的な実装形態による、図１のワイヤレス通信システム内で採用され得る例示的なワイヤレスデバイスの機能ブロック図。
【図３】[0019]ワイヤレス通信を送信するために図２のワイヤレスデバイスにおいて利用され得る例示的な構成要素の機能ブロック図。
【図４】[0020]ワイヤレス通信を受信するために図２のワイヤレスデバイスにおいて利用され得る例示的な構成要素の機能ブロック図。
【図５】[0021]複数コンカレント帯域をもつ例示的なワイヤレス通信システムを示す図。
【図６】[0022]デュアルコンカレント帯域をもつ別の例示的なワイヤレス通信システムを示す図。
【図７Ａ】[0023]様々な実装形態による、例示的な通信方法のフローチャート。
【図７Ｂ】[0024]様々な実装形態による、通信方法の一例の別のフローチャート。
【図８】[0025]２つのアクセスポイントをもつ例示的なワイヤレス通信システムを示す図。
【図９Ａ】[0026]様々な実装形態による、例示的な通信方法のフローチャート。
【図９Ｂ】[0027]様々な実装形態による、通信方法の別の例のフローチャート。
【図１０】[0028]ブロック確認応答アーキテクチャの一例の機能ブロック図。
【図１１】[0029]様々な実装形態による、通信方法の一例のフローチャート。
【図１２】[0030]様々な実装形態による、例示的な通信方法の別のフローチャート。
【図１３】[0031]様々な実装形態による、通信方法の一例の別のフローチャート。
【図１４】[0032]例示的な通信システムの機能ブロック図。
【図１５】[0033]別の例示的な通信システムの機能ブロック図。
【発明を実施するための形態】
【００１８】
[0034]添付の図面を参照しながら新規のシステム、装置、および方法の様々な態様が以下でより十分に説明される。ただし、本教示の開示は、多くの異なる形態で実施され得、本開示全体にわたって提示されるいずれかの特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本発明の他の態様とは無関係に実装されるにせよ、本発明の他の態様と組み合わされるにせよ、本明細書で開示される新規のシステム、装置、および方法のいかなる態様をもカバーするものであることを、当業者なら諒解されたい。たとえば、本明細書に記載される態様をいくつ使用しても、装置は実装され得、または方法は実施され得る。さらに、本発明の範囲は、本明細書に記載される本発明の様々な態様に加えてまたはそれらの態様以外に、他の構造、機能、または構造および機能を使用して実施されるそのような装置または方法をカバーするものとする。本明細書で開示される任意の態様が請求項の１つまたは複数の要素によって実施され得ることを理解されたい。
【００１９】
[0035]本明細書では特定の態様が説明されるが、これらの態様の多くの変形および置換は本開示の範囲内に入る。好適な態様のいくつかの利益および利点が説明されるが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかが例として、図および好適な態様についての以下の説明において示される。発明を実施するための形態および図面は、本開示を限定するものではなく説明するものにすぎず、本開示の範囲は添付の特許請求の範囲およびそれの均等物によって定義される。
【００２０】
[0036]ＩＥＥＥ８０２．１１規格および技術の最近の発展は、Ｗｉ−Ｆｉを複数の周波数帯域上に拡張し、ワイヤレスデバイスが複数の帯域上でコンカレントに動作することを可能にする。複数コンカレント帯域ＳＴＡおよび複数コンカレント帯域ＡＰが、両方の周波数帯域上でコンカレントに動作し、より高い全体的スループットを達成し得る。しかしながら、そのような複数コンカレント帯域動作モードは、より高い電力消費を引き起こし得、したがって常に有益であるとは限らないことがある。したがって、複数コンカレント帯域ＳＴＡが、関連付けられたＡＰとともに動作周波数帯域を動的に切り替えることができれば望ましいであろう。本出願は、一般に、ワイヤレス通信を改善するシステム、方法およびデバイスに関し、より詳細には、帯域および／またはチャネル切替えとバッファ管理とによってより高い全体的スループットを達成し、通信効率を改善する動作を含む、ワイヤレスデュアルコンカレント帯域（ＤＣＢ）または複数コンカレント帯域（ＭＣＢ）を有するシステム、方法、およびデバイスに関する。
【００２１】
[0037]ワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近接デバイスを互いに相互接続するために使用され得る。本明細書で説明される様々な態様は、Ｗｉ−Ｆｉ、またはより一般的には、ワイヤレスプロトコルのＩＥＥＥ８０２．１１ファミリーの任意のメンバーなど、任意の通信規格に適用され得る。たとえば、本明細書で説明される様々な態様は、サブ１ＧＨｚ帯域を使用し得るＩＥＥＥ８０２．１１ａｈプロトコルと相互動作するかまたはそれの一部として使用され得る。ただし、多種多様な他の帯域およびワイヤレスプロトコルが、本明細書で説明される実施形態によって企図されることを諒解されたい。
【００２２】
[0038]いくつかの態様では、サブギガヘルツ帯域中のワイヤレス信号は、直交周波数分割多重（ＯＦＤＭ）、直接シーケンススペクトル拡散（ＤＳＳＳ：direct-sequence spread spectrum）通信、ＯＦＤＭとＤＳＳＳ通信との組合せ、または他の方式を使用して、８０２．１１プロトコルに従って送信され得る。本明細書で説明される実装形態は、センサー、メータリング、およびスマートグリッドネットワークのために使用され得る。有利には、いくつかの実施形態の態様は、他のワイヤレスプロトコルを実装するデバイスよりも少ない電力を消費し得、および／または比較的長い距離、たとえば約１キロメートル以上にわたってワイヤレス信号を送信するために使用され得る、ワイヤレスデバイスを含み得る。これらのデバイスは、エネルギー蓄積デバイスによって与えられる電力に基づいて動作するように構成され得、長い時間期間（たとえば、数カ月または数年）の間エネルギー蓄積デバイスを交換することなしに動作するように構成され得る。
【００２３】
[0039]本明細書で説明されるデバイスのうちのいくつかは、さらに、多入力多出力（ＭＩＭＯ）技術を実装し得る。ＭＩＭＯシステムは、データ伝送のために複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルまたはストリームとも呼ばれるＮS個の独立チャネルに分解され得、ただし、ＮS≦ｍｉｎ｛ＮT，ＮR｝である。ＮS個の独立チャネルの各々は、１つの次元に対応する。複数の送信アンテナおよび受信アンテナによって生成された追加の次元数が利用された場合、ＭＩＭＯシステムは改善された性能（たとえば、より高いスループットおよび／またはより大きい信頼性）を与えることができる。
【００２４】
[0040]いくつかの実装形態では、ＷＬＡＮは、ワイヤレスネットワークにアクセスする構成要素である様々なデバイスを含む。たとえば、２つのタイプのデバイスであるアクセスポイント（「ＡＰ」）およびクライアント（局、または「ＳＴＡ」とも呼ばれる）があり得る。概して、ＡＰはＷＬＡＮのためのハブまたは基地局として働き、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を取得するためにＷｉ−Ｆｉ（たとえば、ＩＥＥＥ８０２．１１プロトコル）準拠ワイヤレスリンクを介してＡＰに接続する。いくつかの実装形態では、ＳＴＡはＡＰとして使用されることもある。
【００２５】
[0041]また、アクセスポイント（「ＡＰ」）は、ノードＢ、無線ネットワークコントローラ（「ＲＮＣ」）、ｅノードＢ、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、または何らかの他の用語を備えるか、それらのいずれかとして実装されるか、あるいはそれらのいずれかとして知られていることがある。
【００２６】
[0042]また、局「ＳＴＡ」は、アクセス端末（「ＡＴ」）、加入者局、加入者ユニット、移動局、リモート局、リモート端末、ユーザ端末、ユーザエージェント、ユーザデバイス、ユーザ機器、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、またはワイヤレスモデムに接続された何らかの他の好適な処理デバイスを備え得る。したがって、本明細書で教示される１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、あるいはワイヤレス媒体を介して通信するように構成された他の好適なデバイスに組み込まれ得る。本明細書で説明されるデバイスは、ＳＴＡとして使用されるにせよ、ＡＰとして使用されるにせよ、他のデバイスとして使用されるにせよ、スマートメータリングのためにまたはスマートグリッドネットワークにおいて使用され得る。そのようなデバイスは、センサー適用例を与えるか、またはホームオートメーションにおいて使用され得る。デバイスは、代わりにまたは追加として、たとえばパーソナルヘルスケアのためにヘルスケアコンテキストにおいて使用され得る。それらのデバイスはまた、（たとえば、ホットスポットとともに使用する）拡張された範囲のインターネット接続性を可能にするために、またはマシンツーマシン通信を実装するために、監視のために使用され得る。
【００２７】
[0043]図１に、本開示の態様が採用され得るワイヤレス通信システム１００の一例を示す。ワイヤレス通信システム１００は、ワイヤレス規格、たとえば８０２．１１規格に従って動作し得る。ワイヤレス通信システム１００は、ＳＴＡ１０６ａ、１０６ｂ、１０６ｃ、１０６ｄ、および１０６ｅ（総称してＳＴＡ１０６）と通信する、ＡＰ１０４を含み得る。
【００２８】
[0044]ＳＴＡ１０６ｅは、ＡＰ１０４と通信するのが困難であり得るか、または範囲外にあり、ＡＰ１０４と通信することができないことがある。したがって、別のＳＴＡ１０６ｄが、ＳＴＡ１０６ｅとＡＰ１０４との間の通信を中継するリレー１１２として構成され得る。
【００２９】
[0045]様々なプロセスおよび方法は、ＡＰ１０４とＳＴＡ１０６との間の、ワイヤレス通信システム１００における送信のために使用され得る。たとえば、信号は、ＯＦＤＭ／ＯＦＤＭＡ技法に従って、ＡＰ１０４とＳＴＡ１０６との間で送信および受信され得る。この場合、ワイヤレス通信システム１００はＯＦＤＭ／ＯＦＤＭＡシステムと呼ばれることがある。代替的に、信号は、ＣＤＭＡ技法に従って、ＡＰ１０４とＳＴＡ１０６との間で送信および受信され得る。この場合、ワイヤレス通信システム１００はＣＤＭＡシステムと呼ばれることがある。
【００３０】
[0046]ＡＰ１０４からＳＴＡ１０６のうちの１つまたは複数への送信を可能にする通信リンクはダウンリンク（ＤＬ）１０８と呼ばれることがあり、ＳＴＡ１０６のうちの１つまたは複数からＡＰ１０４への送信を可能にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００３１】
[0047]ＡＰ１０４は、基地局として働き、基本サービスエリア（ＢＳＡ）１０２においてワイヤレス通信カバレージを与え得る。ＡＰ１０４は、ＡＰ１０４に関連付けられ、また通信のためにＡＰ１０４を使用する、ＳＴＡ１０６とともに、基本サービスセット（ＢＳＳ）と呼ばれることがある。ワイヤレス通信システム１００は、中央ＡＰ１０４を有しないことがあり、むしろ、ＳＴＡ１０６間のピアツーピアネットワークとして機能し得ることに留意されたい。したがって、本明細書で説明されるＡＰ１０４の機能は、ＳＴＡ１０６のうちの１つまたは複数によって代替的に実施され得る。
【００３２】
[0048]図２に、ワイヤレス通信システム１００内で採用され得るワイヤレスデバイス２０２において利用され得る様々な構成要素を示す。ワイヤレスデバイス２０２は、本明細書で説明される様々な方法を実装するように構成され得るデバイスの一例である。たとえば、ワイヤレスデバイス２０２は、図１のＡＰ１０４、またはＳＴＡ１０６のうちの１つを備え得る。
【００３３】
[0049]ワイヤレスデバイス２０２は、ワイヤレスデバイス２０２の動作を制御するプロセッサ２０４を含み得る。プロセッサ２０４は中央処理ユニット（ＣＰＵ）と呼ばれることもある。読取り専用メモリ（ＲＯＭ）とランダムアクセスメモリ（ＲＡＭ）の両方を含み得るメモリ２０６は、命令とデータとをプロセッサ２０４に与える。メモリ２０６の一部分は不揮発性ランダムアクセスメモリ（ＮＶＲＡＭ）をも含み得る。プロセッサ２０４は、一般に、メモリ２０６内に記憶されたプログラム命令に基づいて論理演算と算術演算とを実施する。メモリ２０６中の命令は、本明細書で説明される方法を実装するために実行可能であり得る。
【００３４】
[0050]ワイヤレスデバイス２０２が送信ノードとして実装または使用されるとき、プロセッサ２０４は、複数のメディアアクセス制御（ＭＡＣ）ヘッダタイプのうちの１つを選択することと、そのＭＡＣヘッダタイプを有するパケットを生成することとを行うために構成され得る。たとえば、プロセッサ２０４は、以下でさらに詳細に説明されるように、ＭＡＣヘッダとペイロードとを備えるパケットを生成することと、どんなタイプのＭＡＣヘッダを使用すべきかを決定することとを行うために構成され得る。
【００３５】
[0051]ワイヤレスデバイス２０２が受信ノードとして実装または使用されるとき、プロセッサ２０４は、複数の異なるＭＡＣヘッダタイプのパケットを処理するように構成され得る。たとえば、プロセッサ２０４は、以下でさらに説明されるように、パケット中で使用されたＭＡＣヘッダのタイプを決定し、それに応じてパケットおよび／またはＭＡＣヘッダのフィールドを処理するように構成され得る。
【００３６】
[0052]プロセッサ２０４は、１つまたは複数のプロセッサとともに実装された処理システムを備えるか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、あるいは情報の計算または他の操作を実施することができる任意の他の好適なエンティティの任意の組合せを用いて実装され得る。
【００３７】
[0053]処理システムは、ソフトウェアを記憶するための機械可読媒体をも含み得る。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の好適なコード形式の）コードを含み得る。命令は、１つまたは複数のプロセッサによって実行されたとき、処理システムに本明細書で説明される様々な機能を実施することを行わせる。
【００３８】
[0054]ワイヤレスデバイス２０２はまた、ワイヤレスデバイス２０２と遠隔ロケーションとの間のデータの送信および受信を可能にするために送信機２１０と受信機２１２とを含み得るハウジング２０８を含み得る。送信機２１０と受信機２１２とは組み合わされてトランシーバ２１４になり得る。アンテナ２１６は、ハウジング２０８に取り付けられ、トランシーバ２１４に電気的に結合され得る。ワイヤレスデバイス２０２は、複数の送信機、複数の受信機、複数のトランシーバ、および／または複数のアンテナをも含み得る（図示せず）。
【００３９】
[0055]送信機２１０は、異なるＭＡＣヘッダタイプを有するパケットをワイヤレス送信するように構成され得る。たとえば、送信機２１０は、上記で説明されたプロセッサ２０４によって生成された異なるタイプのヘッダとともにパケットを送信するように構成され得る。
【００４０】
[0056]受信機２１２は、異なるＭＡＣヘッダタイプを有するパケットをワイヤレス受信するように構成され得る。いくつかの態様では、受信機２１２は、以下でさらに詳細に説明されるように、使用されたＭＡＣヘッダのタイプを検出し、それに応じてパケットを処理するように構成される。
【００４１】
[0057]ワイヤレスデバイス２０２は、トランシーバ２１４によって受信された信号のレベルを検出し、定量化するために使用され得る、信号検出器２１８をも含み得る。信号検出器２１８は、そのような信号を、総エネルギー、シンボルごとのサブキャリア当たりのエネルギー、電力スペクトル密度および他の信号として検出し得る。ワイヤレスデバイス２０２は、信号を処理する際に使用するデジタル信号プロセッサ（ＤＳＰ）２２０をも含み得る。ＤＳＰ２２０は、送信のためのデータユニットを生成するように構成され得る。いくつかの態様では、データユニットは物理レイヤデータユニット（ＰＰＤＵ：physical layer data unit）を備え得る。いくつかの態様では、ＰＰＤＵはパケットと呼ばれる。
【００４２】
[0058]ワイヤレスデバイス２０２は、第２の低電力受信機２２８を備えるウェイクアップ回路２３０をさらに備え得る。一態様では、低電力受信機２２８は、動作中に受信機２１４によって通常消費される電力よりも少ない電力を消費するように構成され得る。たとえば、低電力受信機２２８は、トランシーバ２１４と比較して、動作しているときに１０倍、２０倍、５０倍、または１００倍程度（またはそれ以上）少ない電力を消費するように構成され得る。一態様では、低電力受信機２２８は、ＯＦＤＭおよび他の同等の技法に基づいて信号を送信および受信するように構成され得るトランシーバ２１４と比較して、オンオフキーイングまたは周波数シフトキーイング（ＦＳＫ）などの変調／復調技法を使用して信号を受信するように構成され得る。低電力受信機２２８を有するワイヤレスデバイス２０２であるＳＴＡ１０６は、本明細書では低電力受信機ＳＴＡ１０６ｅと呼ばれることがある。低電力受信機２２８を含まないことがある、または、トランシーバ２１４がアクティブにされるモードで動作していることがある、他のＳＴＡは、本明細書ではＳＴＡ１０６と呼ばれることがある。
【００４３】
[0059]ワイヤレスデバイス２０２は、いくつかの態様では、ユーザインターフェース２２２をさらに備え得る。ユーザインターフェース２２２は、キーパッド、マイクロフォン、スピーカー、および／またはディスプレイを備え得る。ユーザインターフェース２２２は、ワイヤレスデバイス２０２のユーザに情報を搬送し、および／またはそのユーザから入力を受信する、任意の要素または構成要素を含み得る。
【００４４】
[0060]ワイヤレスデバイス２０２の様々な構成要素は、バスシステム２２６によって互いに結合され得る。バスシステム２２６は、たとえば、データバスを含み得、ならびに、データバスに加えて、電力バス、制御信号バス、およびステータス信号バスを含み得る。ワイヤレスデバイス２０２の構成要素は、何らかの他の機構を使用して、互いに結合されるか、あるいは互いに入力を受け付けるかまたは与え得ることを、当業者は諒解されよう。
【００４５】
[0061]いくつかの別個の構成要素が図２に示されているが、それらの構成要素のうちの１つまたは複数は、組み合わされるかまたは共通に実装され得る。たとえば、プロセッサ２０４は、プロセッサ２０４に関して上記で説明された機能を実装するためだけでなく、信号検出器２１８および／またはＤＳＰ２２０に関して上記で説明された機能を実装するためにも使用され得る。さらに、図２に示された構成要素の各々は、複数の別個の要素を使用して実装され得る。さらに、プロセッサ２０４は、以下で説明される構成要素、モジュール、回路などのいずれかを実装するために使用され得、または各々が複数の別個の要素を使用して実装され得る。
【００４６】
[0062]参照しやすいように、ワイヤレスデバイス２０２が送信ノードとして構成されるとき、それは以下ではワイヤレスデバイス２０２ｔと呼ばれる。同様に、ワイヤレスデバイス２０２が受信ノードとして構成されるとき、それは以下ではワイヤレスデバイス２０２ｒと呼ばれる。ワイヤレス通信システム１００中のデバイスは、送信ノードの機能のみ、受信ノードの機能のみ、または送信ノードと受信ノードの両方の機能を実装し得る。
【００４７】
[0063]上記で説明されたように、ワイヤレスデバイス２０２は、ＡＰ１０４、ＳＴＡ１０６、または低電力受信機ＳＴＡ１０６ｅを備え得る。図３に、ワイヤレス通信を送信するためにワイヤレスデバイス２０２ｔにおいて利用され得る様々な構成要素を示す。図３に示された構成要素は、たとえば、ＯＦＤＭ通信を送信するために、使用され得る。
【００４８】
[0064]図３のワイヤレスデバイス２０２ｔは、送信のためにビットを変調するように構成された変調器３０２を備え得る。たとえば、変調器３０２は、たとえばコンスタレーションに従ってビットを複数のシンボルにマッピングすることによって、プロセッサ２０４（図２）またはユーザインターフェース２２２（図２）から受信されたビットから複数のシンボルを決定し得る。それらのビットは、ユーザデータまたは制御情報に対応し得る。いくつかの態様では、それらのビットはコードワードにおいて受信される。一態様では、変調器３０２は、ＱＡＭ（直交振幅変調）変調器、たとえば１６ＱＡＭ変調器または６４ＱＡＭ変調器を備える。他の態様では、変調器３０２は、２位相シフトキーイング（ＢＰＳＫ）変調器または４位相シフトキーイング（ＱＰＳＫ）変調器を備える。
【００４９】
[0065]ワイヤレスデバイス２０２ｔは、変調器３０２からのシンボルまたはさもなければ変調されたビットを時間領域に変換するように構成された変換モジュール３０４をさらに備え得る。図３では、変換モジュール３０４は、逆高速フーリエ変換（ＩＦＦＴ：inverse fast Fourier transform）モジュールによって実装されるものとして示されている。いくつかの実装形態では、異なるサイズのデータのユニットを変換する複数の変換モジュール（図示せず）があり得る。いくつかの実装形態では、変換モジュール３０４は、それ自体が、異なるサイズのデータのユニットを変換するように構成され得る。たとえば、変換モジュール３０４は、複数のモードで構成され得、各モードでシンボルを変換するために異なる数の点を使用し得る。たとえば、ＩＦＦＴは、３２個のトーン（すなわち、サブキャリア）上で送信されているシンボルを時間領域に変換するために３２点が使用されるモードと、６４個のトーン上で送信されているシンボルを時間領域に変換するために６４点が使用されるモードとを有し得る。変換モジュール３０４によって使用される点の数は、変換モジュール３０４のサイズと呼ばれることがある。変換モジュール３０４は、１２８点、２５６点、５１２点、および１０２４点が使用される追加のモードなどに従って動作するように構成され得ることを諒解されたい。
【００５０】
[0066]図３では、変調器３０２および変換モジュール３０４は、ＤＳＰ３２０中で実装されるものとして示されている。しかしながら、いくつかの態様では、変調器３０２と変換モジュール３０４の一方または両方が、プロセッサ２０４中でまたはワイヤレスデバイス２０２ｔの別の要素（たとえば、図２に関する上記の説明を参照）中で実装される。
【００５１】
[0067]上記で説明されたように、ＤＳＰ３２０は、送信のためのデータユニットを生成するように構成され得る。いくつかの態様では、変調器３０２および変換モジュール３０４は、制御情報を含む複数のフィールドと複数のデータシンボルとを備えるデータユニットを生成するように構成され得る。
【００５２】
[0068]図３の説明に戻ると、ワイヤレスデバイス２０２５は、変換モジュールの出力をアナログ信号に変換するように構成されたデジタルアナログ変換器３０６をさらに備え得る。たとえば、変換モジュール３０６の時間領域出力は、デジタルアナログ変換器３０６によってベースバンドＯＦＤＭ信号に変換され得る。デジタルアナログ変換器３０６は、プロセッサ２０４中でまたは図２のワイヤレスデバイス２０２の別の要素中で実装され得る。いくつかの態様では、デジタルアナログ変換器３０６は、トランシーバ２１４（図２）中でまたはデータ送信プロセッサ中で実装される。
【００５３】
[0069]アナログ信号は送信機３１０によってワイヤレス送信され得る。アナログ信号は、送信機３１０によって送信される前に、たとえばフィルタ処理されることによってあるいは中間またはキャリア周波数にアップコンバートされることによって、さらに処理され得る。図３に示された態様では、送信機３１０は送信増幅器３０８を含む。送信されるより前に、アナログ信号は送信増幅器３０８によって増幅され得る。いくつかの態様では、増幅器３０８は低雑音増幅器（ＬＮＡ）を備える。
【００５４】
[0070]送信機３１０は、アナログ信号に基づいてワイヤレス信号中で１つまたは複数のパケットまたはデータユニットを送信するように構成される。それらのデータユニットは、プロセッサ２０４（図２）および／またはＤＳＰ３２０を使用して、たとえば上記で説明されたように変調器３０２および変換モジュール３０４を使用して、生成され得る。上記で説明されたように生成され、送信され得るデータユニットが以下でさらに詳細に説明される。
【００５５】
[0071]図４に、ワイヤレス通信を受信するために図２のワイヤレスデバイス２０２において利用され得る様々な構成要素を示す。図４に示された構成要素は、たとえば、ＯＦＤＭ通信を受信するために、使用され得る。いくつかの態様では、図４に示された構成要素は、１ＭＨｚ以下の帯域幅上でデータユニットを受信するために使用される。たとえば、図４に示された構成要素は、図３に関して上記で説明された構成要素によって送信されたデータユニットを受信するために使用され得る。
【００５６】
[0072]ワイヤレスデバイス２０２ｒの受信機４１２は、ワイヤレス信号中で１つまたは複数のパケットまたはデータユニットを受信するように構成される。以下で説明されるように受信され、復号され、またはさもなければ処理され得るデータユニット。
【００５７】
[0073]図４に示された態様では、受信機４１２は受信増幅器４０１を含む。受信増幅器４０１は、受信機４１２によって受信されたワイヤレス信号を増幅するように構成され得る。いくつかの態様では、受信機４１２は、自動利得制御（ＡＧＣ：automatic gain control）プロシージャを使用して受信増幅器４０１の利得を調整するように構成される。いくつかの態様では、自動利得制御は、たとえば、利得を調整するために、受信されたショートトレーニングフィールド（ＳＴＦ：short training field）など、１つまたは複数の受信されたトレーニングフィールド中の情報を使用する。当業者はＡＧＣを実施するための方法を理解されよう。いくつかの態様では、増幅器４０１はＬＮＡを備える。
【００５８】
[0074]ワイヤレスデバイス２０２ｒは、受信機４１２からの増幅されたワイヤレス信号をそれのデジタル表現に変換するように構成されたアナログデジタル変換器４１０を備え得る。増幅されることに加えて、ワイヤレス信号は、デジタルアナログ変換器４１０によって変換される前に、たとえばフィルタ処理されることによってあるいは中間またはベースバンド周波数にダウンコンバートされることによって、処理され得る。アナログデジタル変換器４１０は、プロセッサ２０４（図２）中でまたはワイヤレスデバイス２０２ｒの別の要素中で実装され得る。いくつかの態様では、アナログデジタル変換器４１０は、トランシーバ２１４（図２）中でまたはデータ受信プロセッサ中で実装される。
【００５９】
[0075]ワイヤレスデバイス２０２ｒは、ワイヤレス信号の表現を周波数スペクトルに変換するように構成された変換モジュール４０４をさらに備え得る。図４では、変換モジュール４０４は、高速フーリエ変換（ＦＦＴ：fast Fourier transform）モジュールによって実装されるものとして示されている。いくつかの態様では、変換モジュールは、それが使用する各点についてシンボルを識別し得る。図３を参照しながら上記で説明されたように、変換モジュール４０４は、複数のモードで構成され得、各モードで信号を変換するために異なる数の点を使用し得る。たとえば、変換モジュール４０４は、３２個のトーン上で受信された信号を周波数スペクトルに変換するために３２点が使用されるモードと、６４個のトーン上で受信された信号を周波数スペクトルに変換するために６４点が使用されるモードとを有し得る。変換モジュール４０４によって使用される点の数は、変換モジュール４０４のサイズと呼ばれることがある。いくつかの態様では、変換モジュール４０４は、それが使用する各点についてシンボルを識別し得る。変換モジュール４０４は、１２８点、２５６点、５１２点、および１０２４点が使用される追加のモードなどに従って動作するように構成され得ることを諒解されたい。
【００６０】
[0076]ワイヤレスデバイス２０２ｒは、データユニットがそれを介して受信されるチャネルの推定値を形成することと、チャネル推定値に基づいてチャネルのいくつかの影響を除去することとを行うように構成された、チャネル推定器および等化器４０５をさらに備え得る。たとえば、チャネル推定器４０５は、チャネルの関数を近似するように構成され得、チャネル等化器は、その関数の逆を周波数スペクトルにおけるデータに適用するように構成され得る。
【００６１】
[0077]ワイヤレスデバイス２０２ｒは、等化されたデータを復調するように構成された復調器４０６をさらに備え得る。たとえば、復調器４０６は、たとえばコンスタレーションにおけるビットとシンボルとのマッピングを逆転させることによって、変換モジュール４０４とチャネル推定器および等化器４０５とによって出力されたシンボルから複数のビットを決定し得る。それらのビットは、プロセッサ２０４（図２）によって処理または評価され得るか、あるいはユーザインターフェース２２２（図２）に情報を表示するかまたはさもなければ出力するために、使用され得る。このようにして、データおよび／または情報が復号され得る。いくつかの態様では、それらのビットはコードワードに対応する。一態様では、復調器４０６は、ＱＡＭ（直交振幅変調）復調器、たとえば１６ＱＡＭ復調器または６４ＱＡＭ復調器を備える。他の態様では、復調器４０６は、２位相シフトキーイング（ＢＰＳＫ）復調器または４位相シフトキーイング（ＱＰＳＫ）復調器を備える。
【００６２】
[0078]図４では、変換モジュール４０４と、チャネル推定器および等化器４０５と、復調器４０６とは、ＤＳＰ４２０中で実装されるものとして示されている。しかしながら、いくつかの態様では、変換モジュール４０４と、チャネル推定器および等化器４０５と、復調器４０６とのうちの１つまたは複数が、プロセッサ２０４（図２）中でまたはワイヤレスデバイス２０２（図２）の別の要素中で実装される。
【００６３】
[0079]上記で説明されたように、受信機２１２において受信されたワイヤレス信号は、１つまたは複数のデータユニットを備える。上記で説明された機能または構成要素を使用して、データユニットまたはそれの中のデータシンボルは、復号され評価されるか、あるいはさもなければ評価または処理され得る。たとえば、プロセッサ２０４（図２）および／またはＤＳＰ４２０は、変換モジュール４０４と、チャネル推定器および等化器４０５と、復調器４０６とを使用して、データユニット中のデータシンボルを復号するために、使用され得る。
【００６４】
[0080]ＡＰ１０４とＳＴＡ１０６とによって交換されるデータユニットは、上記で説明されたように、制御情報またはデータを含み得る。物理（ＰＨＹ）レイヤにおいて、これらのデータユニットは物理レイヤプロトコルデータユニット（ＰＰＤＵ：physical layer protocol data unit）と呼ばれることがある。いくつかの態様では、ＰＰＤＵはパケットまたは物理レイヤパケットと呼ばれることがある。各ＰＰＤＵはプリアンブルとペイロードとを備え得る。プリアンブルはトレーニングフィールドとＳＩＧフィールドとを含み得る。ペイロードは、たとえば、メディアアクセス制御（ＭＡＣ）ヘッダまたは他のレイヤのためのデータ、および／またはユーザデータを備え得る。ペイロードは、１つまたは複数のデータシンボルを使用して送信され得る。本明細書のシステム、方法、およびデバイスは、ピーク対電力比が最小限に抑えられたトレーニングフィールドをもつデータユニットを利用し得る。
【００６５】
[0081]図３に示されたワイヤレスデバイス２０２ｔは、アンテナを介して送信されるべき単一の送信チェーンの一例を示している。図４に示されたワイヤレスデバイス２０２ｒは、アンテナを介して受信されるべき単一の受信チェーンの一例を示している。いくつかの実装形態では、ワイヤレスデバイス２０２ｔまたは２０２ｒは、データを同時に送信するために複数のアンテナを使用してＭＩＭＯシステムの一部分を実装し得る。
【００６６】
[0082]したがって、いくつかの実装形態は、異なる周波数範囲において様々な異なる帯域幅を使用してワイヤレス信号を送ることを対象とする。たとえば、例示的な一実装形態では、シンボルは、１ＭＨｚの帯域幅を使用して送信または受信されるために構成され得る。図２のワイヤレスデバイス２０２は、いくつかのモードのうちの１つで動作するようにされ得る。あるモードでは、ＯＦＤＭシンボルなどのシンボルが、１ＭＨｚの帯域幅を使用して送信または受信され得る。別のモードでは、シンボルが、２ＭＨｚの帯域幅を使用して送信または受信され得る。４ＭＨｚ、８ＭＨｚ、１６ＭＨｚなどの帯域幅を使用してシンボルを送信または受信するために追加のモードも与えられ得る。帯域幅はチャネル幅と呼ばれることもある。さらに、たとえば、２．４ＧＨｚ帯域または５ＧＨｚ帯域中の２０ＭＨｚ、４０ＭＨｚ、８０ＭＨｚなどの帯域幅を使用するなどの、追加のモードまたは構成が可能である。
【００６７】
[0083]ＳＴＡ１０６（図１）では、電力消費の有意な発生源は、パケット受信中に、および、特に、受信機がオンであり、パケットを受信するのを待っている時間中にのいずれかに、受信モードでＳＴＡ１０６によって費やされた長い時間に起因し得る。バッテリー式ＳＴＡでは、送信電力が受信電力に匹敵し得るが、受信時間が送信時間よりもはるかに長いことがある。特にバッテリーを使用して動作しているとき、電力消費を低減するためにＳＴＡのアウェイク時間を低減することが望ましい。アウェイク時間、アウェイク期間、アウェイクモードまたはアクティブモードは、ＳＴＡがワイヤレス信号をアクティブに受信および／または送信しているような、ＳＴＡの動作である。ＳＴＡ１０６のアウェイク時間を低減するための１つの方法は、ある短い時間間隔を除く時間間隔の大部分の間にＳＴＡ受信機２１２（図２）をオフにすることである。この場合、送信機２１０（図２）と受信機２１２はオン／オフサイクルに関して合意し得る。場合によっては、これはフレキシブルまたは効率的でないことがある。たとえば、一般的な適用例では、トラフィックパターンが予測可能でないことがある。さらに、合意されたアウェイク時間はトラフィックパターンにマッチしないことがあり、したがって一部のアウェイク時間が役に立たないことがある。さらに、トラフィックは、ＳＴＡ１０６がオフである時間に来ることがあり、ＳＴＡ１０６がウェイクアップするまで、パケットを配信するための方法がないことがある。
【００６８】
[0084]一実施形態では、本明細書で説明された低電力受信機２２８（図２）が低電力受信機ＳＴＡ１０６ｅ中に設けられ得る。一態様では、低電力受信機ＳＴＡ１０６ｅはＡＰ１０４と通信し得る。この場合、将来の通信パラメータおよびアクティビティを決定するために、ある情報が低電力受信機ＳＴＡ１０６ｅとＡＰ１０４との間で交換される、関連付け（たとえば、登録）プロシージャがあり得る。別の態様では、低電力受信機ＳＴＡ１０６ｅは、各々に関連付けられていない他のＳＴＡとの間で通信し得る。
【００６９】
[0085]一態様では、低電力受信機２２８は、低電力受信機ＳＴＡ１０６ｅが動作中である間、実質的に無期限にオンのままであり得る。別の態様では、低電力「ウェイクアップ」受信機２２８は、エネルギー消費をさらに低減するために、所与のスケジュールによって定義されるようにオン／オフデューティサイクルに従って動作し得る。たとえば、プロセッサ２０４またはコントローラ（図示せず）がそのスケジュールを調整し得る。さらに、プロセッサ２０４は、場合によっては、低電力受信機２２８が、異なる持続時間および時間期間（たとえば、他のスリープ期間と比較して、たとえば業務時間中のアウェイク期間。スリープ期間またはスリープモードは、ワイヤレスデバイスが、はるかに少ない電力さらには０電力を消費するためにワイヤレス信号をアクティブに受信または送信していない、ワイヤレスデバイスの動作である。）の間にウェイクアップ信号をリッスンするときを制御するように構成され得る。
【００７０】
[0086]一実施形態によれば、スリープを最大にするために、アナログおよびデジタルであるトランシーバ２１４は、オフである（たとえば、電源切断される）ために構成され得る。電力供給される唯一の回路はＲＦウェイクアップ回路２３０である。ＲＦウェイクアップ回路２３０の低電力受信機２２８は特定のＲＦ信号構造をリッスンし得る。検出されたとき、ＲＦウェイクアップ回路２３０は、アナログおよびデジタルであるトランシーバ２１４をオンにするかまたはさもなければアクティブにする。場合によっては、トランシーバ２１４およびモデムは、（トランシーバ２１４が電力供給されたままであると仮定すると）ウェイクアップするために約１００〜２００μｓを要し得る。ウェイクアップ時間は、ＰＬＬ収束時間と、較正係数のローディングと、他のレジスタローディングとの関数であり得る。場合によっては、ウェイクアップ時間は、トランシーバ２１４が同様に完全に電源切断された場合、約２ｍｓと同じくらい大きいことがある。したがって、一態様では、ウェイクアップパケットは、トランシーバ２１４が、ウェイクアップし、データを受信し始め、特殊ＲＦ信号構造を含むために、ある時間期間の間、ワイヤレス媒体を予約し得る。
【００７１】
[0087]いくつかの実施形態では、低電力受信機ＳＴＡ１０６ｅが他のＳＴＡに関連付けられないことがある。たとえば、ＳＴＡ１０６ｅと他のＳＴＡはＡＰに関連付けられないことがあり、互いとのそれらの対話はイベントおよび一時的近接（たとえば、非同期動作）に基づく。たとえば、ある建築物中で、バッテリー式の小さいセンサーが各部屋中に配置される。各センサーは低電力受信機ＳＴＡ１０６ｅとして構成され得る。上記で説明されたように、ＳＴＡ１０６ｅのトランシーバ２１４は、電力を節約するために、通常オフである。ＳＴＡ１０６として構成された、スマートフォンが、その建築物に入り、たとえば、センサーＳＴＡ１０６ｅのロケーションを発見するかまたはコマンドを発行するために、センサーＳＴＡ１０６ｅと対話することを希望する。スマートフォンＳＴＡ１０６は低電力ウェイクアップ信号を発行する。近隣センサーＳＴＡ１０６ｅは、ウェイクアップ回路２３０を使用して低電力ウェイクアップ信号を検出することと、トランシーバ２１４（無線機）をアクティブにするかまたはオンにすることとを行うために構成され得る。センサーＳＴＡ１０６ｅは、そのロケーションを示すパケットをプロアクティブに送るか、または、センサーＳＴＡ１０６ｅは、どのアクションをとるべきかを決定するためにスマートフォンＳＴＡ１０６からのパケットの受信を待つ。
【００７２】
[0088]ウェイクアップ回路２３０は、いくつかのモードに従って動作するように構成され得る。たとえば、第１のモードでは、低電力受信機２２８は、常時オンであり、ウェイクアップパケットを受信するのを待っている。これは、最速応答を保証し得るが、より高い電力消費を生じる。別のモードでは、低電力ウェイクアップ受信機２２８は、常時オンではなく、ウェイクアップデューティサイクルに従って動作し得る。ウェイクアップデューティサイクルは許容対話遅延に適応され得る。場合によっては、ウェイクアップ信号は、したがって、オン状態にある受信機を見つけるために複数回送られ得る。
【００７３】
[0089]他の実施形態では、低電力受信機ＳＴＡ１０６ｅがＡＰ１０４に関連付けられ得る。したがって、一態様では、低電力受信機ＳＴＡ１０６ｅの対話は、ＡＰ１０４とのものであり、ＡＰ１０４との協働を活用することができる（たとえば、同期動作が可能である）。たとえば、関連付けられるとき、既存の節電モードを向上させるための方法があり得る。たとえば、節電モードでは、低電力受信機ＳＴＡ１０６ｅは、ビーコンを受信するためにウェイクアップし得る。ビーコンは、低電力受信機ＳＴＡ１０６ｅが、（たとえば、ページングされた）ダウンリンクデータを受信するためにさらにアウェイクのままでいる必要があるかどうかを示す。さらに、低電力ウェイクアップ受信機２２８に関する拡張があり得、ここで、ＡＰ１０４は、ビーコンの前に、低電力受信機ＳＴＡ１０６ｅがビーコンにおいてページングされる（またはされ得る）かどうかを示す低電力ウェイクアップ信号を送る。低電力受信機ＳＴＡ１０６ｅが確実にページングされない場合、低電力受信機ＳＴＡ１６０ｅは、電力を節約するために、ビーコンを受信するためにトランシーバ２１４をオンにする必要はない。これらの場合、低電力受信機２２８は、ウェイクアップ信号を受信するために、ビーコンの前に少なくともしばらくオンである必要があり得る。
【００７４】
[0090]さらに、関連付けを使用することによって、トラフィック仮定に基づく利益があり得る。たとえば、ダウンリンクデータの低い確率があり得るとき、（この場合低電力受信機ＳＴＡ１０６ｅは、低電力ウェイクアップ信号の後に大部分の時間スリープし得る。さらに、低電力ウェイクアップ信号が、ビーコンがいつ来ているかを示す場合、長いスリープ時間および大きいクロックドリフトの場合、利益があり得る。低電力受信機ＳＴＡ１０６３は、その時間までトランシーバ２１４をオンにする必要はない。
【００７５】
[0091]ＲＦ低電力ウェイクアップ信号は、他のデータ信号と同じチャネル上で送信され得る。たとえば、低電力ウェイクアップ信号は、Ｗｉ−Ｆｉデータ信号と同じチャネル上で送信され得る。したがって、他のデータとの共存が与えられる。より詳細には、Ｗｉ−Ｆｉ信号との共存が与えられ得る。一態様では、様々な考慮事項が、共存を与えるために考慮に入れられ得る。たとえば、ウェイクアップ信号は、Ｗｉ−Ｆｉ信号よりも狭い帯域幅を有し得る。さらに、ウェイクアップ信号がどれくらい狭帯域であり得るかに関する規制制限があり得、これは、感度／範囲に関する制限を暗示し得る。低電力受信機ＳＴＡ１０６ｅは、電力制約され、おそらくそれら自体低い送信電力を使用し得る。したがって、関連付けられた状態にある（たとえば、ＡＰ１０４に近い可能性がある）ＳＴＡ１０６ｅの場合、ダウンリンクリンクバジェットはアップリンクリンクバジェットよりも数ｄＢ良いことがある。さらに、低ウェイクアップ受信機２２８の感度が通常の受信機よりも最高約２０ｄＢ悪いことが許容でき得る。関連付けられていないＳＴＡの場合、近接度適用例（たとえばロケーションタグ、関連付けられていないシナリオ）について、それらの適用例は、範囲があまり重要でないことがあるので、より少ない感度を必要とし得る。
【００７６】
[0092]図５に、複数コンカレント周波数帯域、すなわち、周波数帯域５０６ａ、５０６ｂ、５０６ｃおよび５０６ｄをもつ例示的なワイヤレス通信システム５００を示す。ワイヤレス通信システム５００は、少なくとも１つのＳＴＡ５０２とＡＰ５０４とを含む。ＳＴＡ５０２は、周波数帯域５０６ａ〜５０６ｄのうちの少なくとも１つを介してＡＰ５０４とワイヤレス通信するように構成される。図５に示された実装形態では、ワイヤレス帯域５０６ａは、ＩＥＥＥ８０２．１１ｂ／ｇ／ｎ通信プロトコルおよび／または規格のために使用され得る２ＧＨｚ帯域である。ワイヤレス帯域５０６ｂは、ＩＥＥＥ８０２．１１ａ／ｎ／ａｃ通信プロトコルおよび／または規格のために使用され得る５ＧＨｚ帯域である。ワイヤレス帯域５０６ｃは、ＩＥＥＥ８０２．１１ａｈ通信プロトコルおよび／または規格のために使用され得る９００ＭＨｚ帯域である。ワイヤレス帯域５０６ｄは、ＩＥＥＥ８０２．１１ａｄ通信プロトコルおよび／または規格のために使用され得る６０ＧＨｚ帯域である。
【００７７】
[0093]ワイヤレス通信システム５００の一実装形態では、ＳＴＡ５０２は４つの周波数帯域５０６ａ〜５０６ｄをサポートする。ＳＴＡ５０２は、４つの周波数帯域５０６ａ〜５０６ｄの少なくともサブセット上でＡＰ５０４に関連付けられるために構成される。ＳＴＡ５０２とＡＰ５０４との間のこの関連付けは、規格および／または実装形態によって、あるいはユーザエレクションおよび／または利用可能なユーザ統計値に基づいて、あらかじめ決定され得る。別の実装形態では、ＳＴＡ５０２は、さらに、４つの周波数帯域５０６ａ〜５０６ｄの少なくともサブセット上で動作する。この動作も、規格および／または実装形態によって、あるいはユーザ選択および／または利用可能なユーザスタティックに基づいて、あらかじめ決定され得る。
【００７８】
[0094]ワイヤレス通信システム５００のいくつかの実装形態では、ＳＴＡ５０２とＡＰ５０４は、２つまたはそれ以上のよりもコンカレント周波数帯域上で動作する。例示的なＤＣＢ動作では、ＳＴＡ５０２とＡＰ５０４は、すべての４つの周波数帯域５０６ａ〜５０６ｄのうちの２つの上でコンカレントに動作する。例示的なＭＣＢ動作では、ＳＴＡ５０２とＡＰ５０４は、すべての４つの周波数帯域５０６ａ〜５０６ｄのうちの３つ以上の上でコンカレントに動作する。例示的なＤＣＢ動作または例示的なＭＣＢ動作では、ＳＴＡ５０２とＡＰ５０４は、ＳＴＡ５０２がＡＰ５０４とともに１つの周波数帯域のみの上で動作する、単一帯域動作の全体的スループットよりも高い全体的スループットを達成する。例示的なＤＣＢ動作または例示的なＭＣＢ動作では、ＳＴＡ５０２とＡＰ５０４は、単一帯域動作の電力よりも多くの電力を消費する。
【００７９】
[0095]いくつかの他の実装形態では、ＳＴＡ５０２は、単一の周波数帯域を介してＡＰ５０４に動的に関連する。たとえば、ＳＴＡ５０２は、第１の時間期間中に周波数帯域５０６ｃを介してＡＰ５０４に関連し得る。第２の時間期間中に、ＳＴＡ５０２は、周波数帯域５０６ｄを介してＡＰ５０４に関連し得る。さらに、ワイヤレス通信システム５００の別の実装形態では、ＳＴＡ５０２とＡＰ５０４は、それらの間で動作帯域を動的に切り替える。たとえば、ＳＴＡ５０２とＡＰ５０４は、最初に周波数帯域５０６ａ上で動作し得る。後で、ＳＴＡ５０２とＡＰ５０４は、周波数帯域５０６ｂ上で動作するために切り替わり得る。
【００８０】
[0096]ワイヤレス通信システム５００の関連付けおよび／または動作中に周波数帯域を動的に切り替えることの多くの理由があり得る。１つの理由は、周波数帯域５０６ａ〜５０６ｄのうちのいくつかの上でのいくつかの動作が、他の周波数帯域上でのいくつかの動作よりも高いスループットを与え得ることである。たとえば、ＩＥＥＥ８０２．１１ａｃ規格のための５ＧＨｚ周波数帯域およびＩＥＥＥ８０２．１１１ａｄ規格のための６０ＧＨｚ周波数帯域が、１Ｇｂｐｓ超のデータレートの動作をサポートし得る。ＩＥＥＥ８０２．１１ａｈ規格のための９００ＭＨｚ周波数帯域が、１０Ｍｂｐｓよりも小さいデータレートの動作をサポートし得る。別の理由は、いくつかの周波数帯域が、他の周波数帯域が与えるよりも大きいカバレージエリアを与え得ることである。たとえば、２ＧＨｚ周波数帯域のカバレージ範囲が１００ｍ超に拡張し得る。しかしながら、６０ＧＨｚ周波数帯域のカバレージ範囲が１０ｍよりも小さいことがある。また別の理由は、いくつかの周波数帯域が、他の周波数帯域が与えるよりも高いレベルの電力効率を与え得ることである。別の理由は、いくつかの周波数帯域が、動作の時間期間中に他の周波数帯域よりも混雑していることがあるからである。たとえば、２ＧＨｚ周波数帯域上で、ある時間期間中にコードレスフォン、Ｂｌｕｅｔｏｏｔｈ（登録商標）デバイス、ＷｉＦｉ（登録商標）デバイスならびに多くの他の技術およびデバイスを動作させることがあり得る。しかしながら、５ＧＨｚ周波数帯域が、同じ時間期間中に２ＧＨｚ周波数帯域よりも混雑していないことがある。
【００８１】
[0097]いくつかの実装形態では、ＳＴＡが、一定数のエラーパケットを受信し、および／または対応する受信機からＳＴＡが予想する一定数の確認応答を逃した後、ＳＴＡは、帯域切替えを行い、ＳＴＡが動作している（１つまたは複数の）現在の周波数帯域のうちの少なくとも１つから少なくとも別の周波数帯域に切り替わることになる。いくつかの他の実装形態では、ＳＴＡが、あるしきい値よりも小さい、信号対雑音比値、雑音レベル、および／または受信ビット誤り率（ＢＥＲ：bit error rate）を測定した後、ＳＴＡは、帯域切替えを行い、ＳＴＡが動作している（１つまたは複数の）現在の周波数帯域のうちの少なくとも１つから少なくとも別の周波数帯域に切り替わることになる。別の実装形態では、ＳＴＡは、ＳＴＡが、あらかじめ定義されたシグナリングフレームから命令を受信したとき、帯域切替えを行うことになる。
【００８２】
[0098]図６に、デュアルコンカレント周波数帯域、すなわち、周波数帯域６０６ａおよび６０６ｂをもつ例示的なワイヤレス通信システム６００を示す。周波数帯域６０６ａは５ＧＨｚ周波数帯域であり、周波数帯域６０６ｂは２ＧＨｚ周波数帯域である。ワイヤレス通信システム６００は、２つのＳＴＡ６０２ａおよび６０２ｂと１つのＡＰ６０４とを含む。図６に示されているように、ＳＴＡ６０２ａは、周波数帯域６０６ａを介してＡＰ６０４と通信し、ＳＴＡ６０２ｂは、周波数帯域６０６ｂを介してＡＰ６０４と通信する。ＳＴＡ６０２ａは、周波数帯域６０６ａと周波数帯域６０６ｂの両方をサポートする。さらに、ＳＴＡ６０２ａとＡＰ６０４との間の距離は、ＳＴＡ６０２ｂとＡＰ６０４との間の距離よりも短い。したがって、ＳＴＡ６０２ａは、ＳＴＡ６０２ａがそれの現在の位置にあるとき、高性能動作のために構成され得、ＳＴＡ６０２ｂは、ＳＴＡ６０２ｂがそれの現在の位置にあるとき、良好なカバレージ動作のために構成され得る。
【００８３】
[0099]ワイヤレス通信システム６００の一実装形態では、ＳＴＡ６０２ａが、それの元の位置からＳＴＡ６０２ｂの現在の位置に移動するとき、ＳＴＡ６０２ａは、それの元の５ＧＨｚ動作帯域から２ＧＨｚ動作帯域に切り替わる。帯域切替え中に、ウェブブラウジング、ビデオストリーミング、ビデオ呼および／またはボイス呼など、ＳＴＡ６０２ａとＡＰ６０４との間の通信接続に対する最小の中断があることが望まいことがある。
【００８４】
[00100]図７Ａおよび図７Ｂに、ＡＰ（たとえば、図６のＡＰ６０４）とＳＴＡ（たとえば、図６のいずれかのＳＴＡ６０２）との間の例示的な通信方法の２つのフローチャートを示す。図７Ａに示された方法は、ＡＰ、たとえば、図６のＡＰ６０４によって実施され得る。図７Ｂに示された方法は、ＳＴＡ、たとえば、図６のＳＴＡ６０２ａによって実施され得る。ＡＰ６０４は、周波数帯域６０６ａまたは周波数帯域６０６ｂのうちの少なくとも１つを介してＳＴＡ６０２ａとワイヤレス通信するように構成される。
【００８５】
[00101]図７Ａに示されているように、ブロック７０２において、ＡＰ６０４は、少なくとも１つの第１のデータパケット（たとえば、サービスデータユニット（ＳＤＵ：service data unit）、ＭＡＣ  ＳＤＵ（ＭＳＤＵ：MAC SDU）、ＭＡＣプロトコルデータユニット（ＭＰＤＵ：MAC protocol data unit）、またはアグリゲートＭＰＤＵ（Ａ−ＭＰＤＵ：aggregated MPDU））と第２のデータパケットとを生成するように構成される。ブロック７０４において、ＡＰ６０４は、周波数帯域６０６ａまたは周波数帯域６０６ｂのうちの少なくとも１つを介してＳＴＡ６０２ａに第１のデータパケットを送信する。いくつかの実装形態では、第１のデータパケットは周波数帯域６０６ａを介してＳＴＡ６０２ａに送られる。ブロック７０４において第１のデータパケットを送信した後に、ＡＰ６０４は、ブロック７０６において、周波数帯域６０６ａまたは周波数帯域６０６ｂのうちの最小１つを介してＳＴＡ６０２ａから送信された確認応答を検出するように構成される。いくつかの実装形態では、ＳＴＡ６０２ａは、周波数帯域６０６ａを介して確認応答を送る。したがって、ＡＰ６０４は、周波数帯域６０６ａを介して確認応答を検出するように構成される。ＡＰ６０４が、ＳＴＡ６０２ａからの肯定応答（ＡＣＫ）を検出した場合、ＡＰ６０４は、ブロック７０８において、周波数帯域６０６ｂを介してＳＴＡ６０２ａに局への第２のデータパケットを送信する。一実装形態では、第１のデータパケットおよび第２のデータパケットは、連続するシーケンス番号を有する。他の場合、ＡＰ６０４は、ブロック７１０において、２つの周波数帯域６０６ａおよび６０６ｂのうちの少なくとも別の１つを介してＳＴＡ６０２ａに第１のデータパケットを再送信する。
【００８６】
[00102]図７Ｂは、ＳＴＡ６０２ａによって実施される方法の対応するフローチャートを示している。ブロック７１２において、ＳＴＡ６０２ａは、周波数帯域６０６ａまたは６０６ｂのうちの少なくとも１つを介してＡＰ６０４によって送られた第１のデータパケットを受信するように構成される。一実装形態では、ＳＴＡは、周波数帯域６０６ａを介して第１のデータパケットを受信するように構成される。ブロック７１４において、ＳＴＡ６０２ａは、次いで、第１のデータパケットを復調し、復号し、確認応答を生成する。ＳＴＡ６０２ａが第１のデータパケットを成功して受信した場合、ＳＴＡ６０２ａは、ブロック７１６において、周波数帯域６０６ａまたは６０６ｂのうちの少なくとも１つを介してＡＰ６０４にＡＣＫを送信する。他の場合、ＳＴＡ６０２ａは、ブロック７２０において、周波数帯域６０６ａまたは６０６ｂのうちの少なくとも別の１つを介してＡＰ６０４に否定応答（ＮＡＫ）を送り得る。一実装形態では、ＳＴＡ６０２ａは、周波数帯域６０６ａを介してＡＰ６０４にＡＣＫまたはＮＡＫのいずれかを送信するように構成される。ＳＴＡ６０２ａが、ブロック７１４においてＡＰから第１のデータパケットを成功して受信した後、ＳＴＡ６０２ａは、周波数帯域６０６ｂを介してＡＰ６０４によって送信された第２のデータパックを受信する。いくつかの実装形態では、第１のデータパケットおよび第２のデータパケットは、連続するシーケンス番号を有する。
【００８７】
[00103]図８に、２つのＡＰ８０４ａおよび８０４ｂと１つのＳＴＡ８０２とをもつ例示的なワイヤレス通信システム８００を示す。ＳＴＡ８０２は、ＡＰ８０４ａのＭＡＣ  ＩＤまたは論理チャネル８０６ａを使用してＡＰ８０４ａと通信する。ＳＴＡ８０２はまた、ＡＰ８０４ｂのＭＡＣ  ＩＤまたは論理チャネル８０６ｂを使用してＡＰ８０４ｂと通信し得る。論理チャネルがＭＡＣ  ＩＤによって一意に識別され得る。論理チャネル８０６ａおよび８０６ｂは、同じ周波数チャネルまたは帯域において動作し得る。論理チャネル８０６ａおよび８０６ｂはまた、２つの異なる周波数チャネルまたは帯域において動作し得る。ＡＰ８０４ａおよび８０４ｂのうちのいずれか１つについて、それは少なくとも１つのＭＡＣ  ＩＤを有し得、１つのＭＡＣ  ＩＤが、少なくとも１つの論理チャネルを識別するために使用され得る。
【００８８】
[00104]一実装形態では、ＳＴＡ８０２は、２つの周波数帯域８０６ａおよび８０６ｂを介して、各ＡＰがそれら２つの周波数帯域のうちの１つの上で動作する、２つの物理ＡＰ８０４ａおよび８０４ｂと通信するように構成される。この場合、２つのＡＰ８０４ａおよび８０４ｂは、両方とも、それら２つの周波数帯域の間でＳＴＡ８０２とともに帯域切替えを実施するように構成される。
【００８９】
[00105]別の実装形態では、ＳＴＡ８０２は、ＳＴＡ８０２が少なくとも１つのＡＰと通信する間、少なくとも２つの周波数帯域８０６ａおよび８０６ｂ上で単一のＭＡＣアドレスを使用するように構成される。別の実装形態では、ＳＴＡは、ＳＴＡがＡＰと通信するとき、２つの異なる周波数帯域上で２つの異なるＭＡＣアドレス８０６ａおよび８０６ｂを使用するように構成される。
【００９０】
[00106]いくつかの実装形態では、２つのＡＰ８０４ａおよび８０４ｂは、２つの仮想ＡＰであり、２つの異なるＭＡＣ  ＩＤ８０６ａおよび８０６ｂによって識別される。これらの２つの仮想ＡＰ８０２ａおよび８０４ｂは単一の物理ＡＰによって実装され得、これらの２つの仮想ＡＰは単一の物理ＡＰの２つのインスタンスとして解釈され得る。別の実装形態では、ＳＴＡ８０２は、少なくとも２つの周波数帯域、たとえば、周波数帯域８０６ａおよび８０６ｂを介して単一の物理ＡＰとワイヤレス通信することと、２つの周波数帯域の間で帯域切替えを実施することとを行うために構成される。この実装形態では、２つのＡＰ８０４ａおよび８０４ｂは、２つの異なる周波数帯域８０６ａおよび８０６ｂ上の単一の物理ＡＰの２つのインスタンスである。
【００９１】
[00107]単一の物理ＡＰが、複数の仮想ＡＰ、たとえば、各仮想ＡＰが別個の周波数帯域、たとえば、２つの周波数帯域８０６ａおよび８０６ｂ上で動作する、２つの仮想ＡＰ８０４ａおよび８０４ｂからなるとき、単一の物理ＡＰは、異なるＭＡＣ  ＩＤ、たとえば、異なるＢＳＳＩＤを用いてすべての帯域においてビーコンフレームをブロードキャストし得る。たとえば、２ＧＨｚ、５ＧＨｚおよび９００ＭＨｚ周波数帯域をもつ単一の物理ＡＰは、第１の仮想ＡＰが、第１のＢＳＳＩＤを用いて２ＧＨｚ周波数帯域上で動作し、第２の仮想ＡＰが、第２のＢＳＳＩＤを用いて５ＧＨｚ周波数帯域上で動作し、第３の仮想ＡＰが、第３のＢＳＳＩＤを用いて９００ＭＨｚ周波数帯域上で動作するなど、各周波数帯域のための各論理ＡＰである、３つの論理ＡＰからなる。
【００９２】
[00108]２つのＡＰ８０４ａとＡＰ８０４ｂとの間でのＳＴＡ８０２の切替え中に、ローミングが行われ得る。２つのＡＰ８０４ａおよび８０４ｂは、同じ物理的ロケーションにおいてまたは個々に２つの別個の物理的ロケーションにおいて展開され得る２つの別個の物理ＡＰであり得る。２つのＡＰ８０４ａおよび８０４ｂはまた、単一の物理ＡＰの２つの仮想ＡＰであり得る。この場合、ＳＴＡ８０２が２つの仮想ＡＰ８０４ａと仮想ＡＰ８０４ｂとの間で切り替わるとき、ローミングは依然として起こり得る。一実装形態では、２つの仮想ＡＰ８０４ａおよび８０４ｂは、それぞれ、各々が２つの別個の周波数帯域上で動作する、２つの論理チャネル８０６ａおよび８０６ｂに対応する。たとえば、仮想ＡＰ８０４ａの論理チャネル８０６ａは２ＧＨｚ周波数帯域上で動作し、仮想ＡＰ８０４ｂの論理チャネル８０６ｂは５ＧＨｚ周波数帯域上で動作する。最初に、ＳＴＡ８０２は、チャネル８０６ａを介して仮想ＡＰ８０４ａに関連付けられる。ローミング動作中に、ＳＴＡ８０２は、チャネル８０６ｂを介して仮想ＡＰ８０４ｂに関連付けメッセージまたは再関連付けメッセージを送る。ＡＰ８０４ｂが、関連付けメッセージまたは再関連付けメッセージを受け付けた後、ＳＴＡ８０２は、ＡＰ８０４ｂとのセキュリティハンドシェイクを実施する。一方、ＡＰ８０４ａは、それの送信バッファにおいてＳＴＡ８０２のための利用可能なデータパケットをフラッシュし得る。ＡＰ８０４ａは、それがＳＴＡ８０２のために受信する何らかの新しいデータパケットをＡＰ８０４ｂにフォワーディングし得る。その後、ＳＴＡ８０２は、ＡＰ８０４ｂから、フォワーディングされた新しいデータパケットを含む、新しいデータパケットを受信し始め得る。ローミング動作のある実装形態では、ＡＰ８０４ａが、それの送信バッファにおいてデータパケットをフラッシュしたとき、ＳＴＡ８０２とＡＰ８０４ａとの間のアプリケーションストリームは中断され得る。ＳＴＡ８０２とＡＰ８０４ａとの間の接続が、ＳＴＡ８０２とＡＰ８０４ｂとの間の接続が行われる前に切られ得るので、ＳＴＡ８０２と２つのＡＰ８０４ａおよび８０４ｂとの間のデータ転送は、ＭＡＣ接続の再確立、たとえば、ブロック確認応答セッションセットアップにより、しばらくの間停止され得る。その時間的停止またはギャップ時間は、ＴＣＰタイムアウトおよび／またはアプリケーションセッションリセットを引き起こし得る。さらに、ＡＰ８０４ａが、ローミング中に送信バッファにおいてデータパケットをフラッシュし得るので、ローミングはパケットロスまたはＴＣＰ再送信をケーシングし得る。
【００９３】
[00109]図９Ａおよび図９Ｂに、２つのＡＰ（たとえば、図８のＡＰ８０４ａおよび８０４ｂ）とＳＴＡ（たとえば、図８のＳＴＡ８０２）との間の別の例示的な通信方法の２つのフローチャートを示す。図９Ａに示された方法は、図８の２つのＡＰ８０４ａおよび８０４ｂのうちのいずれか１つによって実施され得る。図９Ｂに示された方法は、ＳＴＡ、たとえば、図８のＳＴＡ８０２によって実施され得る。一実装形態では、２つのＡＰ８０４ａおよび８０４ｂは、２つのＭＡＣ  ＩＤ（たとえば、ＢＳＳＩＤ）８０６ａまたは８０６ｂを介してＳＴＡ８０２とワイヤレス通信する。
【００９４】
[00110]一実装形態では、第１のＢＳＳＩＤを有するＡＰ８０４ａと第２のＢＳＳＩＤを有するＡＰ８０４ｂの両方が、２つのワイヤレスチャネル８０６ａおよび８０６ｂを介してＳＴＡ８０２とワイヤレス通信する。ワイヤレスチャネル８０６ａまたは８０６ｂは物理周波数チャネルまたは論理チャネルであり得る。いくつかの実装形態では、ＢＳＳＩＤは１つのワイヤレスチャネルにタイである。ＢＳＳＩＤをもつパケットが、利用可能なワイヤレスチャネルのうちのいずれかを介して送信され得る。
【００９５】
[00111]図９Ａに示されているように、ブロック９０２において、ＡＰ８０４ａは第１のデータパケットを生成する。ブロック９０４において、ＡＰ８０４ａは、ワイヤレスチャネル８０６ａまたは８０６ｂのうちの少なくとも１つを介してＳＴＡ９０２に第１のＢＳＳＩＤをもつ第１のデータパケットを送信する。いくつかの実装形態では、第１のＡＰ８０４ａは、第１のワイヤレスチャネル８０６ａを介して第１のデータパケットを送信する。この後に、ブロック９０６において、ＡＰ８０４ａは、ワイヤレスチャネル８０６ａまたは８０６ｂのうちの少なくとも別の１つを介してＳＴＡ８０２からの確認応答を検出するように構成される。ある他の実装形態では、ＡＰ８０４ａは、ワイヤレスチャネル８０６ａを介して確認応答を検出するように構成される。ＡＰ８０４ａが、ＳＴＡ８０２からのＡＣＫを検出した場合、ＡＰ８０４ａは、ブロック９０８において、ＡＰ８０４ｂに第２のデータパケットを送信する。別の実装形態では、第１のデータパケットおよび第２のデータパケットは、連続するシーケンス番号を有する。他の場合、ＡＰ８０４ａは、ブロック９１０において、ワイヤレスチャネル８０６ａまたは８０６ｂのうちの少なくとも１つを介してＳＴＡ８０２に第１のＢＳＳＩＤをもつ第１のデータパケットを再送信する。
【００９６】
[00112]図９Ｂは、ＳＴＡ８０２によって実施される方法の対応するフローチャートを示している。ブロック９１２において、ＳＴＡ８０２は、ワイヤレスチャネル８０６ａまたは８０６ｂのうちの少なくとも１つを介してＡＰ８０４ａによって送信された第１のＢＳＳＩＤをもつ第１のデータパケットを受信するように構成される。いくつかの実装形態では、ＳＴＡ８０２は、ワイヤレスチャネル８０６ａを介して第１のデータパケットを受信するように構成される。ブロック９１４において、ＳＴＡ８０２は、次いで、第１のデータパケットを復調し、復号し、確認応答を生成する。いくつかの他の実装形態では、ＳＴＡ８０２は、ワイヤレスチャネル８０６ａを介して確認応答を送信するように構成される。ＳＴＡ８０２が第１のデータパケットを成功して受信した場合、ＳＴＡ８０２は、ブロック９１６において、ワイヤレスチャネル８０６ａまたは８０６ｂのうちの少なくとも別の１つを介してＡＰ８０４ａにＡＣＫを送信する。他の場合、ＳＴＡ８０２は、ブロック９２０において、ワイヤレスチャネル８０６ａまたは８０６ｂのうちの少なくとも別の１つを介してＡＰ８０４ａにＮＡＫを送る。ブロック９１８において、ＳＴＡ８０２が、ＡＰ８０４ａから第１のデータパケットを成功して受信した後、ＳＴＡ８０２は、ワイヤレスチャネル８０６ｂを介してＡＰ８０４ｂによって送信された第２のＢＳＳＩＤをもつ第２のデータパケットを受信するように構成される。いくつかの実装形態では、第１のデータパケットおよび第２のデータパケットは、連続するシーケンス番号を有するように構成される。
【００９７】
[00113]図１０は、図１のワイヤレス通信システム内に展開され得る２つのデバイス、受信側１００２および発信側１００４のためのブラック確認応答アーキテクチャ１０００の機能ブロック図である。発信側１００４は、図１のＡＰ１０４、図６のＡＰ６０４または図８のいずれかのＡＰ８０４において展開され得、受信側１００２は、図１のいずれかのＳＴＡ１０６、図６のいずれかのＳＴＡ６０２または図８の８０２である。受信側１００２は、図１のＡＰ１０４、図６のＡＰ６０４または図８のいずれかのＡＰ８０４において展開され得、発信側１００４は、図１のいずれかのＳＴＡ１０６、図６のいずれかのＳＴＡ６０２または図８の８０２である。受信側１００２は、ワイヤレスチャネル（たとえば、図５のいずれかの周波数帯域５０６中のワイヤレスチャネル）を介して発信側１００４と通信し得る。図１０に示されているように、発信側１００４は、送信バッファ制御１００６とアグリゲーション制御１００８とを含む。受信側１００２は、受信並べ替えバッファ制御１０１０と、スコアボードコンテキスト制御１０１２と、デアグリゲーション制御１０１２とを含む。発信側１００４は、受信側１００２に少なくとも１つのＡ−ＭＰＤＵまたはＭＰＤＵ１０１６を送信し、受信側１００２から少なくとも１つの応答フレームまたはブロック確認応答（ＢｌｏｃｋＡｃｋ）フレーム１０１８を受信する。
【００９８】
[00114]送信バッファ制御１００６は、少なくとも２つのパラメータ、ＷｉｎＳｔａｒｔＯパラメータ１０２０とＷｉｎＳｉｚｅＯパラメータ１０２２とで構成され、送信のためにＭＰＤＵをサブミットし、送信バッファ制御１００６は、受信側１００２からブロック確認応答フレームを受信すると、送信バッファをリリースする。ＷｉｎＳｔａｒｔＯパラメータ１０２０は、発信側１００４の送信ウィンドウの開始シーケンス番号パラメータ、ＳｔａｒｔｉｎｇＳｅｑｕｅｎｃｅＮｕｍｂｅｒによって定義される。ＷｉｎＳｉｚｅＯパラメータ１０２２は、ブロック確認応答合意においてネゴシエートされるバッファの数によって定義される。
【００９９】
[00115]アグリゲーション制御１００８は、複数のＭＰＤＵからアグリゲート媒体アクセス制御プロトコルデータユニット（Ａ−ＭＰＤＵ：aggregated medium access control protocol data unit）を作成する。それは、受信側１００２からのＢｌｏｃｋＡｃｋ応答を送信請求するために、送信されたＱｏＳデータフレームの確認応答ポリシーフィールドを調整し得る。
【０１００】
[00116]受信並べ替えバッファ１０１０は、媒体アクセス制御サービスデータユニット（ＭＳＤＵ：medium access control service data unit）またはアグリゲートＭＳＤＵ（Ａ−ＭＳＤＵ：aggregated MSDU）が、受信されたシーケンス番号の順に次のＭＡＣプロセスへと上に最終的に受け渡されるように、ＭＳＤＵまたはＡ−ＭＳＤＵを並べ替えることを担当する。受信並べ替えバッファ１０１０１は、ブロック確認応答合意の一部である重複フレーム（すなわち、現在バッファされているフレームと同じシーケンス番号を有するフレーム）を識別し、廃棄することをも担当し得る。受信並べ替えバッファ制御１０１０は、この並べ替えを実施するために、スコアボードコンテキスト制御に依存しないそれ自体の状態を維持し得る。一実装形態では、受信並べ替えバッファ制御１０１０は関係する制御状態を含んでいる。
【０１０１】
[00117]ブロック確認応答合意のために、受信側１００２は完全状態動作または部分状態動作のいずれかを選定し得る。一実装形態では、受信側１００２は、いくつかの合意のための完全状態動作と他の合意のための部分状態動作とを同時に使用する。スコアボードコンテキスト制御１０１２は、ブロック確認応答合意のためにＭＳＤＵまたはＡ−ＭＳＤＵの現在の受信ステータスを含んでいる確認応答ビットマップを記憶し得る。完全状態動作の下で、ステータスは静的に割り当てられたメモリにおいて維持され得る。部分状態動作の下で、ステータスはキャッシュメモリにおいて維持され得る。したがって、ステータス情報は代替をキャッシュすることがある。このエンティティは、ＢｌｏｃｋＡｃｋ応答中で発信側１００４に送られるべき、ビットマップと、開始シーケンス番号、ＳｔａｒｔｉｎｇＳｅｑｕｅｎｃｅＮｕｍｂｅｒフィールドのための値とを与える。
【０１０２】
[00118]デアグリゲーション制御１０１４は、Ａ−ＭＰＤＵ１０１６中に含まれているフレームを分離し得る。受信されたＭＰＤＵは、スコアボードコンテキスト制御１０１２によってならびに受信並べ替えバッファ制御１０１０によって分析され得る。ブロック確認応答合意は、ブラック確認応答合意を成功して確立したブロック確認応答追加（ＡＤＤＢＡ：add Block Acknowledgement）応答フレームからのアドレス１と、アドレス２と、トラフィック識別子（ＴＩＤ：traffic identifier）とのタプルによって一意に識別され得る。ＡＤＤＢＡ応答フレームのアドレス１に対応するＳＴＡは、発信側１００４など、発信側であり得る。ＡＤＤＢＡ応答フレームのアドレス２に対応するＳＴＡは、受信側１００２など、受信側であり得る。アドレス１、アドレス２、およびＴＩＤなど、パラメータについて、成功したＡＤＤＢＡ応答フレームと同じ値を含んでいるデータＭＰＤＵは、そのＡＤＤＢＡ応答フレームの成功した受信によって確立されたブロック確認応答合意が依然としてアクティブとすれば、そのブロック確認応答合意に関係する。
【０１０３】
[00119]図１１に、例示的な通信方法１１００のフローチャートを示す。方法１１００は、図１のＡＰ１０４またはいずれかのＳＴＡ１０６など、任意のワイヤレスデバイスによって実施され得る。方法１１００はバッファ管理方法を備える。図１１に示されているように、バッファ管理の一実装形態では、各ブロック確認応答合意について、ワイヤレスデバイスが、次の予想されるシーケンス番号のパラメータ、ＮｅｘｔＥｘｐｅｃｔｅｄＳｅｑｕｅｎｃｅＮｕｍｂｅｒを維持する。ブロック確認応答合意が受け付けられたとき、ＮｅｘｔＥｘｐｅｃｔｅｄＳｅｑｕｅｎｃｅＮｕｍｂｅｒパラメータは０に初期化される。
【０１０４】
[00120]ブロック１１０２におけるワイヤレスデバイスによるフレームの受信時に、ワイヤレスデバイスは、ブロック１１０４において、フレームがブロック確認応答要求（ＢｌｏｃｋＡｃｋＲｅｑ）フレームであるのかデータフレームであるのかを決定する。ワイヤレスデバイスが、受信されたフレームがデータフレームであることを決定した場合、ワイヤレスデバイスは、ブロック１１０６において、データフレームのシーケンス番号がＮｅｘｔＥｘｐｅｃｔｅｄＳｅｑｕｅｎｃｅＮｕｍｂｅｒパラメータよりも古いかどうかを決定する。この後に、ブロック１１０８において、ワイヤレスデバイスは、フレームのシーケンス番号がブロック確認応答合意のためのＮｅｘｔＥｘｐｅｃｔｅｄＳｅｑｕｅｎｃｅＮｕｍｂｅｒよりも古く、その場合、フレームが古いかまたは重複のいずれかであるので、フレームが廃棄されない限り、バッファ中にＭＳＤＵをバッファする。
【０１０５】
[00121]ワイヤレスデバイスが、ブロック１１０４において、受信されたフレームがＢｌｏｃｋＡｃｋＲｅｑフレームであることを決定した場合、ワイヤレスデバイスは、ブロック１１１０において、ＢｌｏｃｋＡｃｋＲｅｑフレームを復号し、受信する。ブロック１１１２において、ＢｌｏｃｋＡｃｋＲｅｑフレーム中に含まれているＳｔａｒｔｉｎｇＳｅｑｕｅｎｃｅＮｕｍｂｅｒよりも低いシーケンス番号をもつすべての完全なＭＳＤＵおよびＡ−ＭＳＤＵが、次のＭＡＣプロセスへと上に受け渡され得る。ワイヤレスデバイスは、バッファ中に不完全なまたは欠落したＭＳＤＵまたはＡ−ＭＳＤＵがあるまで、連続的にＳｔａｒｔｉｎｇＳｅｑｕｅｎｃｅＮｕｍｂｅｒで開始するＭＳＤＵおよびＡ−ＭＳＤＵを上に受け渡し得る。
【０１０６】
[00122]ブロック１１１４において、ＢｌｏｃｋＡｃｋＲｅｑフレームの受信の後にＭＳＤＵまたはＡ−ＭＳＤＵが次のＭＡＣプロセスへと上に受け渡されず、ＢｌｏｃｋＡｃｋＲｅｑフレームのＳｔａｒｔｉｎｇＳｅｑｕｅｎｃｅＮｕｍｂｅｒがそのブロックＡｃｋ合意のためのＮｅｘｔＥｘｐｅｃｔｅｄＳｅｑｕｅｎｃｅＮｕｍｂｅｒよりも新しい場合、そのブロック確認応答合意のためのＮｅｘｔＥｘｐｅｃｔｅｄＳｅｑｕｅｎｃｅＮｕｍｂｅｒはＢｌｏｃｋＡｃｋＲｅｑフレームのシーケンス番号に設定される。
【０１０７】
[00123]ＭＰＤＵが受信された後、受信バッファ（たとえば、第１のバッファまたは第２のバッファ）がいっぱいである場合、最早シーケンス番号をもつ完全なＭＳＤＵまたはＡ−ＭＳＤＵは次のＭＡＣプロセスへと上に受け渡され得る。ＭＰＤＵが受信された後、受信バッファがいっぱいでないが、最低シーケンス番号をもつバッファ中の完全なＭＳＤＵまたはＡ−ＭＳＤＵのシーケンス番号が、そのブロック確認応答合意のためのＮｅｘｔＥｘｐｅｃｔｅｄＳｅｑｕｅｎｃｅＮｕｍｂｅｒに等しい場合、ＭＰＤＵは次のＭＡＣプロセスへと上に受け渡され得る。
【０１０８】
[00124]ワイヤレスデバイスが、ブロック確認応答合意のためのＭＳＤＵまたはＡ−ＭＳＤＵを次のＭＡＣプロセスへと上に受け渡すたびに、そのブロック確認応答合意のためのＮｅｘｔＥｘｐｅｃｔｅｄＳｅｑｕｅｎｃｅＮｕｍｂｅｒは、次のＭＡＣプロセスへと上に受け渡されたＭＳＤＵまたはＡ−ＭＳＤＵのシーケンス番号＋１に設定される。別の実装形態では、装置は、シーケンス番号の昇順にＭＳＤＵとＡ−ＭＳＤＵとを次のＭＡＣプロセスへと上に受け渡す。
【０１０９】
[00125]図１２は、チャネル切替えのためのワイヤレス通信の方法１２００の一例のフローチャートである。本方法は図１のＡＰ１０４によって実施され得る。ブロック１２０２において、ＡＰ１０４は、第１のチャネルまたは第２のチャネルのうちの少なくとも第１の１つを介してＳＴＡ（たとえば、図１のいずれかのＳＴＡ１０６）に第１のデータパケットを送信する。第１のデータパケットを送信するための手段が送信機２１０とアンテナ２１６と（図２）を含み得る。ブロック１２０４において、ＡＰ１０４は、第１のチャネルまたは第２のチャネルのうちの少なくとも第２の１つを介してＳＴＡ１０６によって送信された第１の確認応答を受信し、第１の確認応答は、ＳＴＡ１０６によって受信された第１のデータパケットに関連付けられた第１の受信情報を備える。トランシーバ２１４が、ウェイクアップ信号の受信を検出したことに応答してアクティブにされる。第１の確認応答を受信するための手段が受信機２１２とアンテナ２１６と（図２）を含み得る。ブロック１２０６において、ＡＰ１０４は、プロセッサが、第１の確認応答が第１の受信情報の肯定応答を備えることを検出した後、第２のチャネルを介してＳＴＡ１０６に第２のデータパケットを送信する。
【０１１０】
[00126]図１３は、チャネル切替えのためのワイヤレス通信の別の例示的な方法１３００のフローチャートである。本方法は図１のＳＴＡ１０６によって実施され得る。ブロック１３０２において、ＳＴＡ１０６は、第１のチャネルまたは第２のチャネルのうちの少なくとも第１の１つを介してＡＰ（たとえば、図１のＡＰ１０４）によって送信された第１のデータパケットを受信し得る。第１のデータパケットを受信するための手段が受信機２１２とアンテナ２１６と（図２）を含み得る。ブロック１３０４において、ＳＴＡ１０６は、第１のチャネルまたは第２のチャネルのうちの少なくとも第２の１つを介してＡＰ１０４に第１の確認応答を送信し、第１の確認応答は、トランシーバによって受信された第１のデータパケットに関連付けられた第１の受信情報を備える。第１の確認応答を送信するための手段が送信機２１０とアンテナ２１６とを含み得る。ブロック１３０６において、ＳＴＡ１０６は、第２のチャネルを介してＡＰ１０４によって送信された第２のパケットを受信し、第１のパケットおよび第２のパケットは、連続するシーケンス番号を有するように構成される。第２のパケットを受信するための手段が受信機２１２とアンテナ２１６とを含み得る。
【０１１１】
[00127]図１４は、チャネル切替えのための例示的なワイヤレス通信システム１４００の機能ブロック図である。通信システム１４００は、図１のＡＰ１０４の例示的な実装形態得る。通信１４００は、第１のチャネルまたは第２のチャネルのうちの少なくとも第１の１つを介して局に第１のデータパケットを送信するための手段１４０２と、第１のチャネルまたは第２のチャネルのうちの少なくとも第２の１つを介して局によって送信された第１の確認応答を受信するための手段１４０２と、第１の確認応答が、局によって受信された第１のデータパケットに関連付けられた第１の受信情報を備える、プロセッサが、第１の確認応答が第１の受信情報の肯定応答を備えることを検出した後、第２のチャネルを介して局に第２のデータパケットを送信するための手段１４０６とを含む。第１のデータパケットを送信するための手段１４０２は送信機２１０とアンテナ２１６と（図２）を含み得る。第１の確認応答を受信するための手段１４０４は受信機２１２とアンテナ２１６と（図２）を含み得る。第１のデータパケットを送信するための手段１４０６も送信機２１０とアンテナ２１６と（図２）を含み得る。
【０１１２】
[00128]図１５は、チャネル切替えのための例示的なワイヤレス通信システム１５００の機能ブロック図である。通信システム１５００は、図１のＳＴＡ１０６の例示的な実装形態得る。通信１５００は、第１のチャネルまたは第２のチャネルのうちの少なくとも第１の１つを介して局によって送信された第１のデータパケットを受信するための手段１５０２と、第１のチャネルまたは第２のチャネルのうちの少なくとも第２の１つを介して局に第１の確認応答を送信するための手段１５０４と、第１の確認応答は、トランシーバによって受信された第１のデータパケットに関連付けられた第１の受信情報を備え、第２のチャネルを介して局によって送信された第２のパケットを受信するための手段１５０６とを含み、第１のパケットおよび第２のパケットは、連続するシーケンス番号を有するように構成される。第１のデータパケットを受信するための手段１５０２は受信機２１２とアンテナ２１６と（図２）を含み得る。第１の確認応答を送信するための手段１５０４は送信機２１０とアンテナ２１６とを含み得る。第２のパケットを受信するための手段１５０６は受信機２１２とアンテナ２１６とを含み得る。
【０１１３】
[00129]他の実装形態が可能である。たとえば、一実装形態では、各ＡＰが２つの周波数帯域のうちの１つの上で動作する、２つのＡＰがある。ＳＴＡが、それら２つのＡＰへのＳＴＡの通信中に帯域および／またはチャネル切替えを実施し得る。
【０１１４】
[00130]別の実装形態では、帯域および／またはチャネル切替え中に、データストリームが、少なくとも１つのＡＰからＳＴＡに転送されるダウンリンクデータストリームである。ＡＰはダウンリンクデータストリームの送信側にあり、ＳＴＡはダウンリンクデータストリームの受信側にある。いくつかの実装形態では、データストリームは、ＳＴＡから少なくとも１つのＡＰに転送されるアップリンクデータストリームである。いくつかの他の実装形態では、データストリームはピアツーピアデータストリームである。
【０１１５】
[00131]また別の実装形態では、帯域および／またはチャネル切替え中に、ＳＴＡは、ＳＴＡが少なくとも１つのＡＰに通信するとき、少なくとも２つの周波数帯域および／またはチャネル上で単一のＭＡＣアドレスを使用する。いくつかの実装形態では、ＳＴＡは、少なくとも２つの周波数帯域および／またはチャネル上で少なくとも２つの異なるＭＡＣアドレスを使用する。
【０１１６】
[00132]一実装形態では、帯域切替えは、関係する周波数帯域および／またはチャネルの大部分が帯域切替え動作中に動作可能であるように、データストリームごとの切替えである。各データストリームは方向（ダウンリンクおよびアップリンク）および／またはＴＩＤによって識別される。ある周波数帯域から別の周波数帯域への１つのデータストリームの転送は、どの帯域上で別のストリームが動作可能であるかに影響を及ぼさない。
【０１１７】
[00133]別の実装形態では、帯域切替えは、ＳＴＡがそれから切り替わる周波数帯域が帯域切替えの後に動作可能でないように、全ＳＴＡ切替えである。この場合、１つのデータストリームの転送は、両方向のすべてのデータストリームとすべてのＴＩＤとが、ＳＴＡがそれに切り替わる新しい周波数帯域上で動作可能であることを示す。
【０１１８】
[00134]本明細書で使用される「決定すること」という用語は、多種多様なアクションを包含する。たとえば、「決定すること」は、計算すること、算出すること、処理すること、導出すること、調査すること、探索すること（たとえば、テーブル、データベース、または別のデータ構造の中で探索すること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。さらに、本明細書で使用される「チャネル幅」は、いくつかの態様では帯域幅を包含することがあるか、または帯域幅と呼ばれることもある。
【０１１９】
[00135]本明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【０１２０】
[00136]上記で説明された方法の様々な動作は、（１つまたは複数の）様々なハードウェアおよび／またはソフトウェア構成要素、回路、および／または（１つまたは複数の）モジュールなど、それらの動作を実施することが可能な任意の好適な手段によって実施され得る。概して、図に示されたどの動作も、その動作を実施することが可能な対応する機能的手段によって実施され得る。
【０１２１】
[00137]本開示に関連して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明された機能を実施するために設計されたそれらの任意の組合せを用いて実装または実施され得る。汎用プロセッサはマイクロプロセッサであり得るが、代替として、プロセッサは、任意の市販のプロセッサ、コントローラ、マイクロコントローラまたは状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１２２】
[00138]１つまたは複数の態様では、説明された機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、いくつかの態様では、コンピュータ可読媒体は一時的コンピュータ可読媒体（たとえば、信号）を備え得る。上記の組合せもコンピュータ可読媒体の範囲内に含まれるべきである。
【０１２３】
[00139]本明細書で開示される方法は、説明された方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【０１２４】
[00140]説明された機能は、ハードウェア、ソフトウェア、ファームウェアまたはそれらの任意の組合せで実装され得る。ソフトウェアで実装される場合、機能は１つまたは複数の命令としてコンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。
【０１２５】
[00141]したがって、いくつかの態様は、本明細書で提示される動作を実施するためのコンピュータプログラム製品を備え得る。たとえば、そのようなコンピュータプログラム製品は、本明細書で説明された動作を実施するために１つまたは複数のプロセッサによって実行可能である命令を記憶した（および／または符号化した）コンピュータ可読媒体を備え得る。いくつかの態様では、コンピュータプログラム製品はパッケージング材料を含み得る。
【０１２６】
[00142]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【０１２７】
[00143]さらに、本明細書で説明された方法および技法を実施するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明された方法を実施するための手段の転送を可能にするためにサーバに結合され得る。代替的に、本明細書で説明された様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明された方法および技法をデバイスに提供するための任意の他の好適な技法が利用され得る。
【０１２８】
[00144]特許請求の範囲は、上記で示された厳密な構成および構成要素に限定されないことを理解されたい。上記で説明された方法および装置の構成、動作および詳細において、特許請求の範囲から逸脱することなく、様々な改変、変更および変形が行われ得る。
【０１２９】
[00145]上記は本開示の態様を対象とするが、本開示の他の態様およびさらなる態様は、それの基本的範囲から逸脱することなく考案され得、それの範囲は以下の特許請求の範囲によって決定される。
【図１】
2016514423.tif 000003
【図２】
2016514423.tif 000004
【図３】
2016514423.tif 000005
【図４】
2016514423.tif 000006
【図５】
2016514423.tif 000007
【図６】
2016514423.tif 000008
【図７Ａ】
2016514423.tif 000009
【図７Ｂ】
2016514423.tif 000010
【図８】
2016514423.tif 000011
【図９Ａ】
2016514423.tif 000012
【図９Ｂ】
2016514423.tif 000013
【図１０】
2016514423.tif 000014
【図１１】
2016514423.tif 000015
【図１２】
2016514423.tif 000016
【図１３】
2016514423.tif 000017
【図１４】
2016514423.tif 000018
【図１５】
2016514423.tif 000019
【国際調査報告】
2016514423.tif 000020
2016514423.tif 000021
2016514423.tif 000022
2016514423.tif 000023
2016514423.tif 000024